(57)【要約】【課題】事前演出を実行可能な遊技機遊技機であって、遊技興趣を高めることができる遊技機を提供する。【解決手段】本発明の遊技機は、低確率状態の設定中は、取得情報が第１の範囲に含まれる情報である場合に当該取得情報が当り情報であると判定し（特定遊技が行われ）、高確率状態の設定中は、取得情報が第１の範囲よりも広い第２の範囲に含まれる情報である場合に当該取得情報が当り情報であると判定する（特定遊技が行われる）。そして、高確率状態であれば当り情報となり（特定遊技が行われ）、低確率状態であれば当り情報とならない（特定遊技が行われない）取得情報（高確限定当り情報）が記憶されていることを示唆する事前演出を実行可能である。【選択図】図９
2018134516.tif 000002
【特許請求の範囲】
【請求項１】
遊技球が始動口に入球することに基づいて取得される取得情報を記憶する取得情報記憶手段と、
前記取得情報が当り情報であるか否かの当り判定を行う当り判定手段と、
前記当り判定で前記取得情報が前記当り情報であると判定されることに基づいて、可変入球口が入球可能状態となる特定遊技を行う特定遊技実行手段と、
前記取得情報について前記当り判定が行われる前に、当該取得情報が所定の情報であるか否かの事前判定を行う事前判定手段と、
前記事前判定の結果に基づいて事前演出を実行可能な事前演出実行手段と、
低確率状態と高確率状態とを遊技状態として設定可能な遊技状態設定手段と、
前記特定遊技中に前記可変入球口に入球した遊技球が通過可能な特定領域と、
を備え、
前記当り判定手段は、
前記低確率状態の設定中は、前記取得情報が第１の範囲に含まれる情報である場合に当該取得情報が前記当り情報であると判定し、
前記高確率状態の設定中は、前記取得情報が前記第１の範囲よりも広い第２の範囲に含まれる情報である場合に当該取得情報が前記当り情報であると判定する遊技機であって、
前記遊技状態設定手段は、前記特定遊技中に遊技球が前記特定領域を通過した場合は遊技状態として前記高確率状態を設定し、前記特定遊技中に遊技球が前記特定領域を通過しなかった場合は遊技状態として前記低確率状態を設定するものであり、
前記事前判定手段は、前記事前判定として、前記取得情報が前記第１の範囲に含まれず前記第２の範囲に含まれる高確限定当り情報であるか否かの判定を実行可能であり、
前記事前演出実行手段は、前記事前演出として、前記取得情報が前記高確限定当り情報であることを示唆する演出を前記事前判定の結果に基づいて実行可能である
ことを特徴とする遊技機。
【発明の詳細な説明】
【技術分野】
【０００１】
本発明は、遊技盤に形成された遊技領域に向けて遊技球を発射することによって遊技を行う遊技機（パチンコ機）に関する。
【背景技術】
【０００２】
遊技盤に設けられた始動口に遊技球が入球することに基づいて取得される大当り判定乱数等の取得情報を記憶する遊技機が知られている。このような遊技機では、取得情報が当り情報であるか否かの当り判定を行い、この当り判定の結果、取得情報が当り情報である場合は可変入球口が入球可能状態となる特定遊技（例えば、大当り遊技など）が実行される。
【０００３】
このような遊技機の中には、取得情報について上述の当り判定が行われる前に、当該取得情報が所定の情報であるか否かの事前判定を行い、この事前判定の結果に基づいて事前演出を行うものが存在する。例えば、取得情報について当り判定が行われる前に、当該取得情報が当り情報であるか否かの事前判定を行い、この事前判定の結果に基づいて当該取得情報が当り情報である可能性を示唆する演出を行う遊技機が存在する（特許文献１）。
【先行技術文献】
【特許文献】
【０００４】
【特許文献１】特開２０１３−１５８５３０号公報
【発明の概要】
【発明が解決しようとする課題】
【０００５】
しかしながら、上述したような事前演出を行う技術は、近年では遊技者に広く認知されつつあり、遊技興趣を十分に高めているとは言い難いという問題があった。
【０００６】
本発明は、上述した課題を解決するためになされたものであり、事前演出を実行可能な遊技機であって、遊技興趣を高めることができる遊技機を提供することを目的とする。
【課題を解決するための手段】
【０００７】
上述した課題の少なくとも一部を解決するために、本発明の遊技機は次の構成を採用した。すなわち、
遊技球が始動口に入球することに基づいて取得される取得情報を記憶する取得情報記憶手段と、
前記取得情報が当り情報であるか否かの当り判定を行う当り判定手段と、
前記当り判定で前記取得情報が前記当り情報であると判定されることに基づいて、可変入球口が入球可能状態となる特定遊技を行う特定遊技実行手段と、
前記取得情報について前記当り判定が行われる前に、当該取得情報が所定の情報であるか否かの事前判定を行う事前判定手段と、
前記事前判定の結果に基づいて事前演出を実行可能な事前演出実行手段と、
低確率状態と高確率状態とを遊技状態として設定可能な遊技状態設定手段と、
前記特定遊技中に前記可変入球口に入球した遊技球が通過可能な特定領域と、
を備え、
前記当り判定手段は、
前記低確率状態の設定中は、前記取得情報が第１の範囲に含まれる情報である場合に当該取得情報が前記当り情報であると判定し、
前記高確率状態の設定中は、前記取得情報が前記第１の範囲よりも広い第２の範囲に含まれる情報である場合に当該取得情報が前記当り情報であると判定する遊技機であって、
前記遊技状態設定手段は、前記特定遊技中に遊技球が前記特定領域を通過した場合は遊技状態として前記高確率状態を設定し、前記特定遊技中に遊技球が前記特定領域を通過しなかった場合は遊技状態として前記低確率状態を設定するものであり、
前記事前判定手段は、前記事前判定として、前記取得情報が前記第１の範囲に含まれず前記第２の範囲に含まれる高確限定当り情報であるか否かの判定を実行可能であり、
前記事前演出実行手段は、前記事前演出として、前記取得情報が前記高確限定当り情報であることを示唆する演出を前記事前判定の結果に基づいて実行可能である
ことを特徴とする。
【発明の効果】
【０００８】
本発明によれば、事前演出を実行可能な遊技機において、遊技興趣を高めることができる。
【図面の簡単な説明】
【０００９】
【図１】本実施例のパチンコ機１の正面図である。
【図２】本実施例の遊技盤２０の盤面構成を示す説明図である。
【図３】本実施例のパチンコ機１における制御回路の構成を示すブロック図である。
【図４】本実施例のセグメント表示部５０の構成を示す説明図である。
【図５】本実施例の大当り遊技の種類を示す説明図である。
【図６】本実施例の演出表示装置４１の表示内容を例示する説明図である。
【図７】本実施例の遊技球が第１始動口２４に入球する場合における遊技の進行態様を示す説明図である。
【図８】本実施例の遊技球が第２始動口２５に入球する場合における遊技の進行態様を示す説明図である。
【図９】本実施例の「ナビ演出」による遊技への影響を説明するための説明図である。
【図１０】本実施例の主制御基板２００のＣＰＵ２０１によって実行される遊技制御処理を示すフローチャートである。
【図１１】本実施例の主制御基板２００のＣＰＵ２０１によって実行される特図保留関連処理を示すフローチャートである。
【図１２】本実施例の特図当り判定テーブルを概念的に示す説明図である。
【図１３】本実施例の図柄選択テーブルを概念的に示す説明図である。
【図１４】本実施例の事前判定の内容を示す説明図である。
【図１５】本実施例の特図保留および事前判定結果の記憶態様を示す説明図である。
【図１６】本実施例の変動パターン選択テーブルを概念的に示す説明図である。
【図１７】本実施例の変動パターン選択テーブルの種類を示す説明図である。
【図１８】本実施例のサブ制御基板２２０のＣＰＵ２２１によって実行される演出制御処理を示すフローチャートである。
【図１９】本実施例のサブ制御基板２２０のＣＰＵ２２１の受信コマンド等に対応する処理を示す説明図である。
【図２０】本実施例のサブ制御基板２２０のＣＰＵ２２１によって実行されるナビ演出処理を示すフローチャートである。
【図２１】本実施例の「ナビ演出」を例示する説明図である。
【発明を実施するための形態】
【００１０】
上述した本発明の内容を明確にするために、本発明を「セブン機」や「デジパチ」と呼ばれるタイプのパチンコ機（遊技機）に適用した実施例について説明する。尚、実施例において、特に断りがない限りは、パチンコ機正面に向かって右側を「右」と表現し、左側を「左」と表現する。
【００１１】
また、以下の実施例は次のような順序に従って説明する。
Ａ．パチンコ機の装置構成：
Ａ−１．装置前面側の構成：
Ａ−２．遊技盤の構成：
Ａ−３．制御回路の構成：
Ｂ．遊技の内容：
Ｃ．遊技制御処理：
Ｄ．演出制御処理：
Ｅ．ナビ演出：
Ｆ．変形例：
【００１２】
Ａ．パチンコ機の装置構成  ：
Ａ−１．装置前面側の構成  ：
図１は、本実施例のパチンコ機１の正面図である。図１に示すように、パチンコ機１の前面部には、前面枠４が設けられている。前面枠４の略中央部には窓部４ａが形成されており、この窓部４ａには合成樹脂製の透明板４ｂが嵌め込まれている。遊技者は、窓部４ａ（透明板４ｂ）を通して奥側に配置される遊技盤２０（図２参照）の遊技領域を視認可能である。また、前面枠４における窓部４ａの右下方には、小窓部４ｃが形成されており、この小窓部４ｃには合成樹脂板等の透明板４ｄが嵌め込まれている。遊技者は、小窓部４ｃ（透明板４ｄ）を通して奥側に配置された遊技盤２０のセグメント表示部を視認可能である。詳しくは後述するが、セグメント表示部とは、複数のＬＥＤの組合せによって遊技に係る情報を表示する表示部である。
【００１３】
前面枠４における窓部４ａの上方には上部ランプ５ａが設けられ、窓部４ａの周縁部における右部には右サイドランプ５ｂが設けられ、窓部４ａの周縁部における左部には左サイドランプ５ｃが設けられている。また、窓部４ａの左右上方には上部スピーカー６ａが設けられており、前面枠４の下方（後述する本体枠の下部前面）には下部スピーカー６ｂが設けられている。これらの上部ランプ５ａ、右サイドランプ５ｂ、左サイドランプ５ｃ、上部スピーカー６ａ、下部スピーカー６ｂは、遊技上の演出効果を高めるために駆動される。
【００１４】
前面枠４における窓部４ａの下方には、上皿部７が設けられている。上皿部７には、パチンコ機１に対応して設けられたカードユニット６０を介して貸し出される遊技球や、パチンコ機１から払い出される遊技球が貯留される。また、上皿部７の下方には下皿部８が設けられており、上皿部７の容量を超えて貸し出された遊技球や、上皿部７の容量を超えて払い出された遊技球が貯留される。
【００１５】
前面枠４における下皿部８の右方には、発射ハンドル９が設けられている。発射ハンドル９の回転軸は、発射ハンドル９の奥側に搭載された発射装置ユニットに接続されており、この発射装置ユニットには、上皿部７に貯留された遊技球が供給される。遊技者が発射ハンドル９を回転させると、その回転が発射装置ユニットに伝達され、発射装置ユニットに内蔵された発射モーターが回転して、回転角度に応じた強さで遊技球が発射される。
【００１６】
また、上皿部７の縁部には遊技者による押下操作が可能な演出ボタン１０ａが設けられており、下皿部８の左方には遊技者による押込操作や回転操作が可能なジョグシャトル１０ｂが設けられている。また、図示は省略するが、上皿部７の縁部であって演出ボタン１０ａの左側には方向ボタン１０ｃが設けられている。方向ボタン１０ｃは上下左右方向のそれぞれに対応する４個のボタン（上ボタン、下ボタン、左ボタン、右ボタン）から構成されている。これらの演出ボタン１０ａや、ジョグシャトル１０ｂ、方向ボタン１０ｃは、何れも遊技者によって操作される演出操作部であり、所定の条件成立時に遊技者によって操作されると、所定の遊技演出が行われる。
【００１７】
前面枠４の背面側には中枠および本体枠が設けられ、前面枠４は、一端（図１における左側）が中枠に対して回動可能に軸支されており、中枠は、一端（図１における左側）が本体枠に対して回動可能に軸支されている。本体枠は、木製の板状部材を組み立てて構成された略長方形の枠体であり、パチンコ機１はこの本体枠が島設備に取り付けられることで遊技ホールに設置される。中枠の前面側には遊技盤２０が着脱可能に取り付けられており、前面枠４が中枠に対してパチンコ機１前方側に回動（開放）されると、遊技盤２０が露出された状態となる。
【００１８】
Ａ−２．遊技盤の構成  ：
図２は、遊技盤２０の盤面構成を示す説明図である。前述したように、遊技盤２０は中枠３の前面側に着脱可能に取り付けられている。図２に示すように、遊技盤２０の中央には略円形状の遊技領域２１が形成されている。発射装置ユニット２６１（図３参照）から発射された遊技球は、外レール２２と内レール２３との間を通って遊技領域２１に放出され、遊技領域２１の上方から下方に向かって流下する。遊技領域２１は、前面枠４の窓部４ａを通して遊技者に視認されるので、当然ながら、遊技領域２１を流下する遊技球の様子も窓部４ａを通して遊技者に視認されることとなる。
【００１９】
遊技領域２１の略中央には中央装置４０が設けられており、中央装置４０のほぼ中央には、演出表示装置４１が設けられている。演出表示装置４１は液晶表示器によって構成されており、その表示画面上には、演出用の種々の画像を表示することが可能である。尚、演出表示装置４１の詳しい表示内容については後述する。
【００２０】
遊技領域２１における中央装置４０（演出表示装置４１）の下方には、開口部の大きさが不変（一定）であり遊技球が常時入球可能な始動口である第１始動口２４が設けられている。第１始動口２４に入球した遊技球は、内部に設けられた通路を通って遊技盤２０の裏面側に導かれる。第１始動口２４の内部の通路には第１始動口センサー２４ｓ（図３参照）が設けられており、第１始動口２４に入球した遊技球を検知可能である。
【００２１】
また、遊技領域２１における中央装置４０（演出表示装置４１）の右下には、遊技球が通過可能な普通図柄作動ゲート２７が設けられており、普通図柄作動ゲート２７の内部には、遊技球の通過を検知するゲートセンサー２７ｓ（図３参照）が設けられている。また、普通図柄作動ゲート２７の下方には、遊技球の入球可能性が変化する入球口（始動口）である第２始動口２５が設けられている。すなわち、第２始動口２５は、パチンコ機１の前後方向に回動可能な開閉扉２６（図中のハッチング部分）を備えており、開閉扉２６が略直立して遊技球が入球不能（または入球困難）な閉鎖状態と、開閉扉２６がパチンコ機１の前方側に回動して遊技球が入球可能（または入球容易）な開放状態とに変化可能である。図２では、第２始動口２５が開放状態となっている様子が示されている。第２始動口２５に入球した遊技球は、内部に設けられた通路を通って遊技盤２０の裏面側に導かれる。第２始動口２５の内部の通路には第２始動口センサー２５ｓ（図３参照）が設けられており、第２始動口２５に入球した遊技球を検知可能である。
【００２２】
また、遊技領域２１における第１始動口２４の下方には、略長方形状に大きく開口された第１大入賞口２８（本発明における「可変入球口」）が設けられている。第１大入賞口２８は、パチンコ機１の前後方向に回動可能な開閉扉２９（図中のハッチング部分）を備えており、開閉扉２９が略直立して遊技球が入球不能な閉鎖状態と、開閉扉２９がパチンコ機１の前方側に回動して遊技球が入球可能な開放状態（本発明における「入球可能状態」）とに変化可能である。図２では、第１大入賞口２８が開放状態となっている様子が示されている。第１大入賞口２８に入球した遊技球は、内部に設けられた通路を通って遊技盤２０の裏面側に導かれる。第１大入賞口２８の内部の通路には第１大入賞口センサー２８ｓ（図３参照）が設けられており、第１大入賞口２８に入球した遊技球を検知可能である。
【００２３】
また、遊技領域２１における第２始動口２５の下方（遊技領域２１の右下隅部）には、遊技盤２０の前面から前方（遊技者側）に突出した第２大入賞口ユニット３３が設けられている。第２大入賞口ユニット３３の上面は、右側から左側にかけて下方へ傾斜しており、遊技球が右側から左側（パチンコ機１中央側）に転動可能な転動面３４となっている。この転動面３４の中途部（遊技球の転動方向の中途部）には、第２大入賞口３５（本発明における「可変入球口」）が設けられている。この第２大入賞口３５は、パチンコ機１の前後方向に摺動可能（移動可能）な開閉扉３６（図中のハッチング部分）を備えており、開閉扉３６が前方側に摺動（移動）して遊技球が入球不能な閉鎖状態と、開閉扉３６が後方側に摺動（移動）して遊技球が入球可能な開放状態（本発明における「入球可能状態」）とに変化可能である。第２大入賞口３５に入球した遊技球は、第２大入賞口ユニット３３内部に設けられた通路を通って特定口３８に導かれる。
【００２４】
第２大入賞口ユニット３３の前壁は少なくとも一部が透明板によって形成されているので（光透過性を有しているので）、遊技者は第２大入賞口ユニット３３の前壁を通して、第２大入賞口３５に入球した遊技球が特定口３８に導かれる様子を視認可能である。
【００２５】
第２大入賞口３５の内部には第２大入賞口センサー３５ｓ（図３参照）が設けられており、第２大入賞口３５に入球した遊技球を検知可能である。また、特定口３８の内部には特定口センサー３８ｓ（図３参照）が設けられており、特定口３８に入球した遊技球を検知可能である。
【００２６】
上述した各遊技装置の周辺には、遊技球が入球可能な一般入球口（図示省略）や、遊技球の流下経路に影響を与える風車型ホイール３１、多数の障害釘（図示省略）が設けられている。また、遊技領域２１の最下部にはアウト口３２が設けられており、上述した第１始動口２４、第２始動口２５、第１大入賞口２８、第２大入賞口３５、一般入球口の何れにも入球しなかった遊技球は、アウト口３２から遊技盤２０の裏側に排出される。
【００２７】
上述した第１始動口２４には、中央装置４０（演出表示装置４１）の左方の領域（第１領域）を流下する遊技球であっても、右方の領域（第２領域）を流下する遊技球であっても入球可能であるが、左方の領域を流下する遊技球の方が右方の領域を流下する遊技球よりも入球し易い。これに対して、普通図柄作動ゲート２７、第２始動口２５、第１大入賞口２８、第２大入賞口３５には、中央装置４０（演出表示装置４１）の右方の領域を流下する遊技球が入球可能（または通過可能）である。以下では、中央装置４０（演出表示装置４１）の左方の領域を流下するように遊技球を発射させることを「左打ち」とも表現し、中央装置４０（演出表示装置４１）の右方の領域を流下するように遊技球を発射させることを「右打ち」とも表現する。尚、本実施例のパチンコ機１では、第１始動口２４に遊技球が入球した場合は３個の遊技球が遊技者に払い出され、第２始動口２５に遊技球が入球した場合は２個の遊技球が遊技者に払い出され、一般入球口に遊技球が入球した場合は１０個の遊技球が遊技者に払い出される。また、第１大入賞口２８または第２大入賞口３５に遊技球が入球した場合は１５個の遊技球が遊技者に払い出される。
【００２８】
遊技盤２０における遊技領域２１の右下方には、ＬＥＤの組合せによって遊技に係る情報を表示するセグメント表示部５０が設けられている。セグメント表示部５０は、前面枠４に設けられた小窓部４ｃ（図１参照）を通して遊技者に視認される。尚、セグメント表示部５０の詳しい表示内容については後述する。
【００２９】
Ａ−３．制御回路の構成  ：
次に、本実施例のパチンコ機１における制御回路の構成について説明する。図３は、本実施例のパチンコ機１における制御回路の構成を示したブロック図である。図示されているようにパチンコ機１の制御回路は、多くの制御基板や、各種基板、中継端子板などから構成されている。詳しくは、遊技の進行に係る制御を司る主制御基板２００と、遊技の演出に係る制御を司るサブ制御基板２２０と、サブ制御基板２２０の制御下で画像の表示や音声の出力に係る制御を司る画像音声制御基板２３０と、サブ制御基板２２０の制御下でランプの発光に係る制御を司るランプ制御基板２２６と、遊技球の貸し出しや払い出しに係る制御を司る払出制御基板２４０と、遊技球の発射に係る制御を司る発射制御基板２６０などから構成されている。これら制御基板は、各種論理演算および算出演算を実行するＣＰＵ（図３におけるＣＰＵ２０１、２２１、２３１等）や、ＣＰＵで実行される各種プログラムやデータが記憶されているＲＯＭ（図３におけるＲＯＭ２０２、２２２、２３２等）、プログラムの実行に際してＣＰＵが一時的なデータを記憶するＲＡＭ（図３における２０３、２２３、２３３等）、入出力用回路など、種々の周辺ＬＳＩがバスで相互に接続されて構成されている。
【００３０】
主制御基板２００には、第１始動口２４へ入球した遊技球を検知する第１始動口センサー２４ｓや、第２始動口２５へ入球した遊技球を検知する第２始動口センサー２５ｓ、普通図柄作動ゲート２７を通過した遊技球を検知するゲートセンサー２７ｓ、第１大入賞口２８へ入球した遊技球を検知する第１大入賞口センサー２８ｓ、第２大入賞口３５に入球した遊技球を検知する第２大入賞口センサー３５ｓ、特定口３８に入球した遊技球を検知する特定口センサー３８ｓなどが接続されている。主制御基板２００のＣＰＵ２０１は、これらのセンサーなどから遊技球の検知信号の入力があると、その検知信号の入力のあったセンサーに対応するコマンドを、サブ制御基板２２０や、払出制御基板２４０、発射制御基板２６０などに向けて送信する。
【００３１】
また、主制御基板２００には、第２始動口２５に設けられた開閉扉２６に開閉動作を行わせるための（第２始動口２５を開放状態、閉鎖状態にするための）第２始動口ソレノイド２６ｍや、第１大入賞口２８に設けられた開閉扉２９に開閉動作を行わせるための（第１大入賞口２８を開放状態、閉鎖状態にするための）第１大入賞口ソレノイド２８ｍ、第２大入賞口３５に設けられた開閉扉３６に開閉動作を行わせるための（第２大入賞口３５を開放状態、閉鎖状態にするための）第２大入賞口ソレノイド３５ｍ、セグメント表示部５０などが接続されている。主制御基板２００のＣＰＵ２０１は、第２始動口ソレノイド２６ｍ、第１大入賞口ソレノイド２８ｍ、第２大入賞口ソレノイド３５ｍ、セグメント表示部５０に向けて駆動信号を送信することにより、これらの動作の制御を行う。
【００３２】
サブ制御基板２２０には、画像音声制御基板２３０や、ランプ制御基板２２６、演出操作基板２２８が接続されている。サブ制御基板２２０のＣＰＵ２２１は、主制御基板２００からの各種コマンドを受信すると、コマンドの内容を解析して、その内容に応じた演出を行う。すなわち、画像音声制御基板２３０に対しては、出力画像や出力音声を指定するコマンドを送信し、ランプ制御基板２２６に対しては、上部ランプ５ａ、右サイドランプ５ｂ、左サイドランプ５ｃ（以下「各種ランプ５ａ〜５ｃ」ともいう）の発光パターンを指定するコマンドを送信することによって、これらのランプを駆動する演出を行う。また、サブ制御基板２２０のＣＰＵ２２１は、演出操作基板２２８を介して、演出ボタン１０ａや、ジョグシャトル１０ｂ、方向ボタン１０ｃ（以下「演出操作部１０ａ，１０ｂ，１０ｃ」ともいう）に対する遊技者の操作を検知すると、該操作に対応する演出を行う。
【００３３】
画像音声制御基板２３０は、ＣＰＵ２３１、ＲＯＭ２３２、ＲＡＭ２３３に加えて、ＶＤＰ２３４、画像ＲＯＭ２３５、音声ＲＯＭ２３６を備えている。画像音声制御基板２３０のＣＰＵ２３１は、サブ制御基板２２０からコマンドを受信すると、そのコマンドに対応する画像の表示をＶＤＰ２３４に指示する。ＶＤＰ２３４は、指示された画像の表示に利用する画像データ（例えば、スプライトデータや動画データなど）を画像ＲＯＭ２３５から読み出して画像を生成し、演出表示装置４１の表示画面に出力する。また、画像音声制御基板２３０のＣＰＵ２３１は、サブ制御基板２２０からコマンドを受信すると、そのコマンドに対応する音声データを音声ＲＯＭ２３６から読み出す。そして、該音声データに基づく音声を、アンプ基板２２４を介して、上部スピーカー６ａおよび下部スピーカー６ｂ（以下「各種スピーカー６ａ，６ｂ」ともいう）から出力する。
【００３４】
払出制御基板２４０には、上皿部７に設けられた球貸ボタン２４１（図１では図示省略）や、パチンコ機１に並設されたカードユニット２４２、払出モーター２４３などが接続されている。球貸ボタン２４１が操作されると、この信号は、払出制御基板２４０を介してカードユニット２４２に伝達される。カードユニット２４２は、払出制御基板２４０とデータを通信しながら、払出モーター２４３を駆動して遊技球の貸し出しを行う。また、主制御基板２００から遊技球の払い出しを指示する払出コマンドを受信した場合も、払出モーター２４３を駆動して遊技球の払い出しを行う。
【００３５】
また、払出制御基板２４０には発射制御基板２６０が接続されており、発射制御基板２６０には、遊技球を発射させるための発射モーター２６２や遊技者が発射ハンドル９に触れていることを検知するタッチスイッチ２６３等を有する発射装置ユニット２６１が接続されている。発射制御基板２６０は、タッチスイッチ２６３を介して遊技者が発射ハンドル９に触れていることを検知すると、発射モーター２６２を駆動することによって、発射ハンドル９の回転角度に応じた強さで遊技球を発射する。
【００３６】
Ｂ．遊技の内容  ：
本実施例のパチンコ機１では次のように遊技が進行する。上皿部７に遊技球が貯留された状態で発射ハンドル９が回転されると、貯留された遊技球が１球ずつ発射装置ユニット２６１に供給されて、図２を用いて前述した遊技領域２１に発射される。遊技球を打ち出す強さは発射ハンドル９の回転角度に対応するので、遊技者は発射ハンドル９の回転角度を変化させることによって、所望する領域に遊技球を流下させることができる。例えば、中央装置４０（演出表示装置４１）の左方の領域を流下するように遊技球を発射させたり（左打ちを行ったり）、中央装置４０（演出表示装置４１）の右方の領域を流下するように遊技球を発射させたり（右打ちを行ったり）することができる。
【００３７】
＜特別図柄の変動表示＞
図２を用いて前述したように、第１始動口２４には左打ちされた遊技球および右打ちされた遊技球が入球可能である。左打ちまたは右打ちされた遊技球が第１始動口２４に入球し、その入球した遊技球が第１始動口センサー２４ｓにより検知されると、所定の判定乱数（後述する特図当り判定乱数など）を取得し、該判定乱数に基づいて「大当り」または「外れ」の何れであるかを判定する特図当り判定を行う。そして、この特図当り判定の結果に基づいて、第１の特別図柄（以下「第１特図」ともいう）を変動表示させた後に停止表示させる。また、図２を用いて前述したように、第２始動口２５には右打ちされた遊技球が入球可能である。右打ちされた遊技球が第２始動口２５に入球し、その入球した遊技球が第２始動口センサー２５ｓにより検知されると、所定の判定乱数（後述する特図当り判定乱数など）を取得し、該判定乱数に基づいて「大当り」または「外れ」の何れであるかを判定する特図当り判定を行う。そして、この特図当り判定の結果に基づいて、第２の特別図柄（以下「第２特図」ともいう）を変動表示させた後に停止表示させる。ここで、第１特図、第２特図について説明する。
【００３８】
図４は、セグメント表示部５０を拡大して示す説明図である。前述したように、セグメント表示部５０は遊技盤２０における遊技領域２１の右下方に設けられており（図２参照）、遊技者は前面枠４の小窓部４ｃ（図１参照）を通してセグメント表示部５０を視認可能である。図４に示すように、セグメント表示部５０には、第１特図を表示する第１特図表示部５１と、第２特図を表示する第２特図表示部５２が設けられており、これらの表示部にはそれぞれ９個のＬＥＤが配置されている。第１特図および第２特図（以下、これらを特に区別をしない場合は、まとめて「特別図柄」という）は、それぞれの表示部において、９個のＬＥＤのうち点灯するＬＥＤを切り換えることによって変動表示され、９個のＬＥＤのうち所定のＬＥＤを点灯した状態とすることで停止表示される。本実施例のパチンコ機１では、第１特図として、２００種類の大当り図柄（大当り図柄１０１〜３００）と１種類の外れ図柄（外れ図柄１０１）を停止表示可能であり、第２特図として、２００種類の大当り図柄（大当り図柄４０１〜６００）と１種類の外れ図柄（外れ図柄４０１）を停止表示可能である。これらの図柄の種類は、点灯するＬＥＤの組合せの相違によって識別可能である。
【００３９】
遊技球が第１始動口２４に入球することに基づく特図当り判定（以下「第１特図についての特図当り判定」ともいう）の結果が「大当り」である場合は、第１特図が大当り図柄１０１〜３００の何れかで停止表示され、第１特図についての特図当り判定の結果が「外れ」である場合は、第１特図が外れ図柄１０１で停止表示される。また、遊技球が第２始動口２５に入球することに基づく特図当り判定（以下「第２特図についての特図当り判定」ともいう）の結果が「大当り」である場合は、第２特図が大当り図柄４０１〜６００の何れかで停止表示され、第２特図についての特図当り判定の結果が「外れ」である場合は第２特図が外れ図柄４０１で停止表示される。
【００４０】
特別図柄（第１特図または第２特図）を大当り図柄または外れ図柄の何れかで停止表示したら、停止表示された図柄を確定させるべく、図柄が停止表示された状態を所定の時間が経過するまで維持する表示（以下「確定表示」ともいう）を行う。以下では、特別図柄が変動表示を開始してから確定表示されるまでの遊技、すなわち１回の変動表示の結果が得られるまでの遊技を「図柄変動遊技」とも表現する。
【００４１】
＜特別図柄の保留＞
遊技球が第１始動口２４や第２始動口２５に入球すると、上述したように特別図柄についての特図当り判定や変動表示が行われるものの、これらの特図当り判定や変動表示は、遊技球が第１始動口２４や第２始動口２５に入球後に直ぐに行われるのではなく、取得された判定乱数を特別図柄の保留（特図保留）として一旦記憶する。
【００４２】
詳しくは、遊技球が第１始動口２４に入球すると、判定乱数を取得し、取得された判定乱数を第１特図保留として一旦記憶する。そして、所定の条件が成立したら、記憶した第１特図保留に基づいて特図当り判定や第１特図の変動表示を行う。このような第１特図保留は４個を上限として記憶される。第１特図保留の記憶数（第１特図保留数）は、セグメント表示部５０の第１特図保留表示部５３に表示される。すなわち、図４に示すように、第１特図保留表示部５３には２個のＬＥＤが配置されており、この第１特図保留表示部５３では、２個のＬＥＤのうち両方を消灯することで第１特図保留数が０個であることを示し、１個のＬＥＤを点灯することで第１特図保留数が１個であることを示し、２個のＬＥＤを点灯することで第１特図保留数が２個であることを示し、１個のＬＥＤを点滅することで第１特図保留数が３個であることを示し、２個のＬＥＤを点滅することで第１特図保留数が４個であることを示す。
【００４３】
また、遊技球が第２始動口２５に入球すると、判定乱数を取得し、取得された判定乱数を第２特図保留として一旦記憶する。そして、所定の条件が成立したら、記憶した第２特図保留に基づいて特図当り判定や第２特図の変動表示を行う。このような第２特図保留も４個を上限として記憶される。第２特図保留の記憶数（第２特図保留数）は、セグメント表示部５０の第２特図保留表示部５４に表示される。すなわち、図４に示すように、第２特図保留表示部５４にも２個のＬＥＤが配置されており、この第２特図保留表示部５４では、２個のＬＥＤのうち両方を消灯することで第２特図保留数が０個であることを示し、１個のＬＥＤを点灯することで第２特図保留数が１個であることを示し、２個のＬＥＤを点灯することで第２特図保留数が２個であることを示し、１個のＬＥＤを点滅することで第２特図保留数が３個であることを示し、２個のＬＥＤを点滅することで第２特図保留数が４個であることを示す。
【００４４】
尚、本実施例のパチンコ機１では、何れかの特別図柄の変動表示中や、何れかの特別図柄の確定表示中、大当り遊技中は、特図保留が記憶されていても、特図当り判定や特別図柄の変動表示は行わない。また、複数の特図保留が記憶されている場合は、それらが第１特図保留であるか第２特図保留であるかに拘わらず、最先に記憶された特図保留についての特図当り判定および特別図柄の変動表示を行う（いわゆる特別図柄の順次変動機能を有する）。
【００４５】
＜遊技状態＞
本実施例のパチンコ機１では、遊技状態として、「特図当り判定において大当りと判定される確率に係る遊技状態」と「第２始動口２５への遊技球の入球頻度に係る遊技状態」とが適宜設定される。これらのうち「特図当り判定において大当りと判定される確率に係る遊技状態」は「低確率状態」または「高確率状態」に設定される。「低確率状態」は、特図当り判定において大当りと判定される確率が低い（約１００分の１の確率である）状態であり、「高確率状態」は、特図当り判定において大当りと判定される確率が高い（約１０分の１の確率である）状態である。
【００４６】
また、「第２始動口２５への遊技球の入球頻度に係る遊技状態」は「非電サポ状態」または「電サポ状態」に設定される。「非電サポ状態」は、第２始動口２５への遊技球の入球頻度が低い状態であり、「電サポ状態」は、第２始動口２５への遊技球の入球頻度が高い状態である。こうすることによって、「非電サポ状態」では、第２始動口２５よりも第１始動口２４に遊技球が入球し易く、「電サポ状態」では、第１始動口２４よりも第２始動口２５に遊技球が入球し易くなっている。このため、「非電サポ状態」では、遊技者に左打ちを行わせる（第１始動口２４への入球を狙わせる）ことができ、「電サポ状態」では、遊技者に右打ちを行わせる（第２始動口２５への入球を狙わせる）ことができる。
【００４７】
尚、セグメント表示部５０には、上述した電サポ状態中であることを示す電サポ表示部５８が設けられている。すなわち、図４に示すように、電サポ表示部５８には、３個のＬＥＤが配置されており、電サポ状態中は、この３個のＬＥＤを点灯することによって電サポ状態中であることを遊技者に示す。さらに、セグメント表示部５０には、右打ちを行うことを遊技者に促す右打ち表示部５９が設けられている。電サポ状態中は第２始動口２５への遊技球の入球頻度が高く、且つ、第２始動口２５は右打ちされた遊技球が入球可能であるので、電サポ状態中は右打ちを行うことが遊技者にとって有益である。そこで、電サポ状態中は、右打ち表示部５９に配置された２個のＬＥＤを点灯することによって右打ちを行うことを遊技者に促すこととしている。
【００４８】
＜大当り遊技＞
第１特図または第２特図が何れかの大当り図柄で停止表示されると、第１大入賞口２８または第２大入賞口３５が開放状態となるラウンド遊技が複数回行われる大当り遊技を開始する。図２を用いて前述したように、第１大入賞口２８および第２大入賞口３５には右打ちされた遊技球が入球可能であるので、大当り遊技中は右打ちが行われることとなる。
【００４９】
図５に示すように、本実施例のパチンコ機１では、大当り遊技として、「Ｖショート」の大当り遊技（本発明における「第１特定遊技」）と「Ｖロング」の大当り遊技（本発明における「第２特定遊技」）とを実行可能である。詳しくは、図５（ａ）に示すように、第１特図が大当り図柄１０１〜２８０で停止表示された場合は（第１特図が大当り図柄で停止表示される場合は９０％の確率で）、「Ｖショート」の大当り遊技が行われ、第１特図が大当り図柄２８１〜３００で停止表示された場合は（第１特図が大当り図柄で停止表示される場合は１０％の確率で）、「Ｖロング」の大当り遊技が行われる。また、図５（ｂ）に示すように、第２特図が大当り図柄４０１〜６００で停止表示された場合は（第２特図が大当り図柄で停止表示される場合は１００％の確率で）、「Ｖロング」の大当り遊技が行われる。
【００５０】
本実施例のパチンコ機１では、「Ｖショート」の大当り遊技または「Ｖロング」の大当り遊技の何れが行われる場合であっても、２回のラウンド遊技が行われ、そのうち１回目のラウンド遊技では第１大入賞口２８が開放状態となり、２回目のラウンド遊技では第２大入賞口３５が開放状態となる。もっとも、「Ｖショート」の大当り遊技と「Ｖロング」の大当り遊技とでは、「特定口３８への遊技球の入球可能性」が互いに異なっている。すなわち、「Ｖショート」の大当り遊技および「Ｖロング」の大当り遊技は、１回目のラウンド遊技では双方とも１０秒間（あるいは４個の遊技球が入球するまで）第１大入賞口２８が開放状態となるものの、２回目のラウンド遊技における第２大入賞口３５の開放時間が互いに異なる。詳しくは、「Ｖショート」の大当り遊技は、２回目のラウンド遊技における第２大入賞口３５の開放時間が０．２秒間であることから遊技球が特定口３８に入球し難く、「Ｖロング」の大当り遊技は、２回目のラウンド遊技における第２大入賞口３５の開放時間が１０秒間（あるいは４個の遊技球が入球するまで）であることから遊技球が特定口３８に入球し易い。
【００５１】
そして、図５（ｃ）に示すように、「Ｖショート」の大当り遊技中に遊技球が特定口３８に入球した場合は、大当り遊技終了後の遊技状態が「高確率状態且つ電サポ状態（以下「高確率・電サポ状態」ともいう）」に設定され、「Ｖショート」の大当り遊技中に遊技球が特定口３８に入球しなかった場合は、大当り遊技終了後の遊技状態が「低確率状態且つ非電サポ状態（以下「低確率・非電サポ状態」ともいう）」に設定される。
【００５２】
また、「Ｖロング」の大当り遊技中に遊技球が特定口３８に入球した場合は、大当り遊技終了後の遊技状態が「高確率・電サポ状態」に設定され、「Ｖロング」の大当り遊技中に遊技球が特定口３８に入球しなかった場合は、大当り遊技終了後の遊技状態が「低確率状態且つ電サポ状態（以下「低確率・電サポ状態」ともいう）」に設定される。
【００５３】
尚、「高確率・電サポ状態」は次に大当り遊技が行われるまで継続し、「低確率・電サポ状態」は４５回の図柄変動遊技が行われるまで継続する（それまでに大当り遊技が行われた場合は終了する）。
【００５４】
ここで、「Ｖショート」の大当り遊技が行われる場合は、上述したように第２大入賞口３５は０．２秒間しか開放状態とならないので、ほとんどの場合において、遊技球が特定口３８に入球することはなく、「Ｖショート」の大当り遊技終了後の遊技状態は「低確率・非電サポ状態」に設定される。
【００５５】
これに対して、「Ｖロング」の大当り遊技が行われる場合は、上述したように第２大入賞口３５は１０秒間（あるいは４個の遊技球が入球するまで）開放状態となることから、遊技者が右打ちを行っていれば、ほとんどの場合において、遊技球が特定口３８に入球して、「Ｖロング」の大当り遊技終了後の遊技状態は「高確率・電サポ状態」に設定される。もっとも、遊技者は、「Ｖロング」の大当り遊技中（第２大入賞口３５の開放中に）に右打ちを（ひいては遊技球の打ち出し）を意図的に停止することもでき、この場合は、遊技球が特定口３８に入球せず、「Ｖロング」の大当り遊技終了後の遊技状態は「低確率・電サポ状態」に設定される。すなわち、「Ｖロング」の大当り遊技が行われる場合は、遊技者は、「Ｖロング」の大当り遊技中（第２大入賞口３５の開放中に）に右打ち（遊技球の打ち出し）を行うか否かによって、「Ｖロング」の大当り遊技終了後の遊技状態を（「高確率・電サポ状態」と「低確率・電サポ状態」とから）意図的に選択することができる。本実施例のパチンコ機１は、このように「Ｖロング」の大当り遊技終了後の遊技状態を遊技者に意図的に選択させる機能を備えており、このような機能を利用した後述の遊技性に主な特徴を有している。
【００５６】
＜普通図柄の変動表示、普図当り遊技、普通図柄の保留＞
図２を用いて前述したように、普通図柄作動ゲート２７は右打ちされた遊技球が通過可能である。右打ちされた遊技球が普通図柄作動ゲート２７を通過し、その遊技球がゲートセンサー２７ｓにより検知されると、所定の判定乱数（後述する普図当り判定乱数）を取得し、該判定乱数に基づいて普図当りであるか外れであるかを判定する普図当り判定を行う。そして、この普図当り判定の結果に基づいて、普通図柄を変動表示させた後に停止表示させる。図４に示すように、セグメント表示部５０には、普通図柄を表示する普図表示部５６が設けられており、普図表示部５６には２個のＬＥＤが配置されている。普通図柄は、普図表示部５６において、２個のＬＥＤのうち点灯するＬＥＤを切り換えることによって変動表示され、２個のＬＥＤのうち所定のＬＥＤを点灯した状態とすることで停止表示される。本実施例のパチンコ機１では、普通図柄として、２個のＬＥＤのうち左のＬＥＤを点灯させた普図当り図柄と、右のＬＥＤを点灯させた普図外れ図柄の２種類の図柄を停止表示可能である。普図当り判定の結果が普図当りである場合は普通図柄が普図当り図柄で停止表示され、普図当り判定の結果が普図外れである場合は普通図柄が普図外れ図柄で停止表示される。こうして普通図柄を当り図柄または外れ図柄で停止表示したら、停止表示された図柄を確定させるべく、図柄が停止表示された状態を所定の時間が経過するまで維持する表示（確定表示）を行う。そして、普通図柄が普図当り図柄で停止表示された場合は、第２始動口２５が開放状態となった後に閉鎖状態となる普図当り遊技が行われる。
【００５７】
上述した非電サポ状態や電サポ状態は、普図当り判定の態様や、普通図柄の変動表示の態様、普図当り遊技の態様を異ならせることによって設定される。つまり、普図当り判定において普図当りと判定される確率は、非電サポ状態においては１００分の１であり、電サポ状態においては１００分の９９である。また、普通図柄の変動時間としては、非電サポ状態においては長い時間が選択され易く（１０００ｍ秒、２０００ｍ秒、３０００ｍ秒の何れかが均等に選択され）、電サポ状態においては短い時間が選択され易い（１０００ｍ秒、１２５２ｍ秒、１５００ｍ秒の何れかが均等に選択される）。また、普図当り遊技としては、非電サポ状態においては第２始動口２５が短時間（１６ｍ秒×１回）だけ開放状態となる普図当り遊技が行われ、電サポ状態においては第２始動口２５が長時間（８４０ｍ秒×２回）開放状態となる普図当り遊技が行われる。これらによって、非電サポ状態中は、第２始動口２５が開放状態となる頻度が低くなり、第２始動口２５への遊技球の入球頻度も低くなる。これに対して、電サポ状態中は、第２始動口２５が開放状態となる頻度が高くなり、第２始動口２５への遊技球の入球頻度も高くなる。
【００５８】
遊技球が普通図柄作動ゲート２７を通過すると、普図当り判定や普通図柄の変動表示が行われるものの、これらの普図当り判定や変動表示は、遊技球が普通図柄作動ゲート２７を通過後に直ぐに行われるのではなく、取得された判定乱数を普図保留として一旦記憶する。そして、所定の条件が成立したら、記憶した普図保留に基づいて普図当り判定や普通図柄の変動表示を行う。このような普図保留も４個を上限として記憶される。普図保留の記憶数（普図保留数）は、セグメント表示部５０の普図保留表示部５７に表示される。すなわち、図４に示すように、普図保留表示部５７には２個のＬＥＤが配置されており、この普図保留表示部５７では、２個のＬＥＤのうち両方を消灯することで普図保留数が０個であることを示し、２個のＬＥＤのうち１個のＬＥＤを点灯することで普図保留数が１個であることを示し、２個のＬＥＤを点灯することで普図保留数が２個であることを示し、１個のＬＥＤを点滅することで普図保留数が３個であることを示し、２個のＬＥＤを点滅することで普図保留数が４個であることを示す。尚、本実施例のパチンコ機１では、普図保留が記憶されている場合において、普通図柄の変動表示中、普通図柄の確定表示中、普図当り遊技中の何れでもなければ、最先に記憶された普図保留に係る普図当り判定および普通図柄の変動表示を行う。
【００５９】
＜演出表示装置４１の表示内容＞
上述したような遊技を行うための処理は、主に主制御基板２００のＣＰＵ２０１によって行われる。本実施例のパチンコ機１では、上述したような遊技に合わせて、演出表示装置４１に種々の画像を表示する演出を行う。このような演出を行うための処理は、主にサブ制御基板２２０のＣＰＵ２２１によって行われる。
【００６０】
例えば、演出表示装置４１では、第１特図または第２特図の変動表示（図柄変動遊技）に合わせた演出（以下「図柄変動演出」ともいう）が行われる。すなわち、特別図柄（第１特図または第２特図）の変動表示（図柄変動遊技）の開始タイミングと同期して、演出表示装置４１において３つの識別図柄４１ａ，４１ｂ，４１ｃの変動表示を開始する。その後、特別図柄の変動時間が経過するまで種々の態様で識別図柄４１ａ，４１ｂ，４１ｃの変動表示を行う。そして、特別図柄の変動表示の終了タイミング（特別図柄の停止表示）と同期して識別図柄４１ａ，４１ｂ，４１ｃの変動表示を終了する。本実施例のパチンコ機１では、識別図柄として「１」〜「９」までの９つの数字を意匠化した図柄を表示可能である。
【００６１】
図６（ａ）には、３つの識別図柄４１ａ，４１ｂ，４１ｃが一斉に変動表示している様子が概念的に示されている。変動表示が開始されてから所定時間が経過すると、例えば、初めに左識別図柄４１ａが停止表示され、次に右識別図柄４１ｃが停止表示され、最後に中識別図柄４１ｂが停止表示される。これら演出表示装置４１で停止表示される３つの識別図柄４１ａ，４１ｂ，４１ｃの組合せは、前述した第１特図表示部５１または第２特図表示部５２にて停止表示される特別図柄（第１特図または第２特図）と対応するように構成されている。例えば、第１特図または第２特図が大当り図柄で停止表示される場合は、演出表示装置４１の３つの識別図柄４１ａ，４１ｂ，４１ｃが同じ図柄となる図柄組合せ（以下「ゾロ目」ともいう）で停止表示される。また、第１特図または第２特図が外れ図柄で停止表示される場合は、３つの識別図柄４１ａ，４１ｂ，４１ｃは同じ図柄で揃わない図柄組合せ（以下「バラケ目」ともいう）で停止表示される。尚、停止表示された識別図柄４１ａ、４１ｂ、４１ｃは、特別図柄の確定表示時間が経過するまで停止表示された状態となる（確定表示される）。
【００６２】
このように、第１特図表示部５１または第２特図表示部５２で表示される特別図柄と、演出表示装置４１で表示される３つの識別図柄４１ａ，４１ｂ，４１ｃとは、表示内容が互いに対応しており、変動表示中の特別図柄が停止表示する際には、３つの識別図柄４１ａ，４１ｂ，４１ｃも停止表示するようになっている。しかも、図２に示すように、演出表示装置４１は、第１特図表示部５１または第２特図表示部５２（セグメント表示部５０）よりも目に付き易い位置に設けられており、表示画面も大きく、表示内容も分かり易いので、遊技者は演出表示装置４１の画面を視認しながら遊技を行うことが通常である。従って、図６（ｂ）に示すように、例えば、演出表示装置４１の表示画面上で初めに停止表示される左識別図柄４１ａと、続いて停止表示される右識別図柄４１ｃとが同じ図柄であった場合には、最後に停止表示される中識別図柄４１ｂも同じ図柄で停止して、「大当り遊技が開始されるのではないか」と、遊技者は識別図柄の変動表示（図柄変動演出）を注視することになる。このように、複数の識別図柄のうち一の識別図柄を除いた識別図柄を同じ図柄（ゾロ目となり得る態様）で停止させて該一の識別図柄を変動表示させた状態で行われる演出は「リーチ演出」と呼ばれており、このリーチ演出を発生させることで遊技興趣を高めることが可能である。
【００６３】
また、演出表示装置４１の表示画面上の下部には、第１特図保留数を示すための第１保留表示領域４１ｄと、第２特図保留数を示すための第２保留表示領域４１ｅとが設定されている。本実施例のパチンコ機１では、第１保留表示領域４１ｄに第１特図保留数と同数の「保留図柄（図中、小さい円形の図柄）」を表示することで第１特図保留数（上限数は４個）を示し、第２保留表示領域４１ｅに第２特図保留数（上限数は４個）と同数の「保留図柄」を表示することで第２特図保留数を示す。従って、図６に示す例では、第１特図保留数が４個であり、第２特図保留数が４個であることが示されている。尚、当然ながら、演出表示装置４１の表示画面上に表示された保留図柄によって示される保留数と、セグメント表示部５０の第１特図保留表示部５３および第２特図保留表示部５４にて示される保留数とは一致する。
【００６４】
＜遊技の主な進行態様＞
本実施例のパチンコ機１では主に次のような態様で遊技が進行される。「低確率・非電サポ状態」中は、普通図柄作動ゲート２７に遊技球を通過させても第２始動口２５が開放状態になる頻度が低いため、「右打ち」を行っても第２始動口２５には遊技球を入球させ難い。また、第１始動口２５には、「左打ち」を行う方が「右打ち」を行うよりも遊技球が入球し易い。従って、「低確率・非電サポ状態」中は、「左打ち」を行うことによって、第１始動口２４への入球を狙う遊技（以下「第１特図主体の遊技」ともいう）が主に行われる。
【００６５】
「左打ち」を行うことにより、図７に示すように、第１始動口２４に遊技球が入球すると（ｅｖ．１）、第１特図の変動表示が行われる（ｅｖ．２）。「低確率・非電サポ状態」中の特図当り判定では約１００分の１の確率で「大当り」と判定されるので、ほとんどの場合は、第１特図は外れ図柄で停止表示される（ｅｖ．３）。このような第１特図の変動表示を繰り返しているうちに、第１特図についての特図当り判定で「大当り」と判定されると、第１特図は大当り図柄で停止表示される（ｅｖ．４）。そして、第１特図が大当り図柄で停止表示された場合は（ｅｖ．４）、図５を用いて前述したように、９０％の確率で「Ｖショート」の大当り遊技が行われ（ｅｖ．５）、１０％の確率で「Ｖロング」の大当り遊技が行われる（ｅｖ．６）。「Ｖショート」の大当り遊技が行われると（ｅｖ．５）、ほとんどの場合は、遊技球は特定口３８に入球せず（図中、Ｖ非入球）、再度「低確率・非電サポ状態」が設定される（ｅｖ．７）。
【００６６】
これに対して、「Ｖロング」の大当り遊技が行われると（ｅｖ．６）、ほとんどの場合は、遊技球が特定口３８に入球して、「高確率・電サポ状態」が設定される（ｅｖ．８）。すなわち、上述したように「Ｖロング」の大当り遊技が行われる場合は、遊技者は、「Ｖロング」の大当り遊技中（第２大入賞口３５の開放中に）に右打ちを行うか否かによって、「Ｖロング」の大当り遊技終了後の遊技状態を（「高確率・電サポ状態」と「低確率・電サポ状態」のうちから）意図的に選択することができる。もっとも、「低確率・電サポ状態」よりも「高確率・電サポ状態」の方が遊技者に有利な状態であることから、通常であれば、遊技者は右打ちを行って特定口３８に遊技球を入球させるので（図中、Ｖ入球）、「高確率・電サポ状態」が設定される。
【００６７】
こうして設定された「高確率・電サポ状態」中、あるいは、「低確率・非電サポ状態」中は、第２始動口２５が開放状態になる頻度が高く、遊技球を第２始動口２５に入球させ易い。従って、「右打ち」を行うことによって第２始動口２５への入球を狙う遊技（以下「第２特図主体の遊技」ともいう）が主に行われる。もっとも、本実施例のパチンコ機１では、「右打ち」が行われる場合であっても、第１始動口２４に遊技球が入球することがあり、第１始動口２４に遊技球が入球すると、図７を用いて上述した態様の遊技が行われる。もちろん、この場合に特図当り判定で「大当り」とされる確率は、「高確率・電サポ状態」中であれば約１０分の１であり、「低確率・電サポ状態」中であれば約１００分の１である。
【００６８】
これに対して、第２始動口２５に遊技球が入球すると（ｅｖ．１１）、図８に示すように、第２特図の変動表示が行われる（ｅｖ．１２）。この場合も、特図当り判定で「大当り」と判定される確率は、「低確率・電サポ状態」中であれば約１００分の１であり、「高確率・電サポ状態」中であれば約１０分の１である。そして、第２特図についての特図当り判定で「大当り」と判定されると、第２特図は大当り図柄が停止表示される（ｅｖ．１４）。第２特図が大当り図柄で停止表示された場合は（ｅｖ．１４）、図５を用いて前述したように、１００％の確率で「Ｖロング」の大当り遊技が行われる（ｅｖ．１５）。「Ｖロング」の大当り遊技が行われると（ｅｖ．１５）、ほとんどの場合は、遊技球が特定口３８に入球して、「高確率・電サポ状態」が設定される（ｅｖ．１６）。すなわち、上述したように「Ｖロング」の大当り遊技が行われる場合は、遊技者は、「Ｖロング」の大当り遊技中（第２大入賞口３５の開放中に）に右打ちを行うか否かによって、「Ｖロング」の大当り遊技終了後の遊技状態を（「高確率・電サポ状態」と「低確率・電サポ状態」のうちから）意図的に選択することができる。もっとも、「低確率・電サポ状態」よりも「高確率・電サポ状態」の方が遊技者に有利な状態であることから、通常であれば、遊技者は右打ちを行って特定口３８に遊技球を入球させるので（図中、Ｖ入球）、「高確率・電サポ状態」が設定される。
【００６９】
ここで、「高確率・電サポ状態」中に「Ｖロング」の大当り遊技が行われた場合は（ｅｖ．１５）、図８にハッチングの矢印で示すように、遊技者に対して、特定口３８への遊技球の入球を意図的に回避させることがある。すなわち、「Ｖロング」の大当り遊技終了後の遊技状態として、「高確率・電サポ状態」ではなく、「低確率・電サポ状態」を選択させる（設定する）ことがある（ｅｖ．１７）。このことについては、以下で詳しく説明する。尚、このように「低確率・電サポ状態」が設定された場合は（ｅｖ．１７）、その後に大当り遊技が行われないまま４５回の図柄変動遊技が行われると、「低確率・電サポ状態」が設定される（ｅｖ．１８）。
【００７０】
以下では、「高確率・電サポ状態」中に「Ｖロング」の大当り遊技が行われた場合に、遊技者に対して、特定口３８への遊技球の入球を意図的に回避させる理由について説明する。本実施例のパチンコ機１では、図７および図８を用いて上述したように遊技が進行するので、図９（ａ）に示すように、「低確率・電サポ状態」中は、第１特図（図中「特１」）の変動表示が主に行われ、低確率（約１００分の１の確率）で大当り図柄が停止表示する。そして、第１特図が大当り図柄で停止表示すると、９０％の確率で「Ｖショート」の大当り遊技（図中「ショート」）が行われると共に「低確率・非電サポ状態」が再度設定され、１０％の確率で「Ｖロング」の大当り遊技（図中「ロング」）が行われると共に「高確率・電サポ状態」が設定される。
【００７１】
そして、「高確率・電サポ状態」が設定されると、第２特図（図中「特２」）の変動表示が主に行われて、高確率（約１０分の１）で大当り図柄が停止表示する。そして、第２特図が大当り図柄で停止表示すると、１００％の確率で「Ｖロング」の大当り遊技が行われると共に再度「高確率・電サポ状態」が設定される。すなわち、「高確率・電サポ状態」中は、第２特図の変動表示が行われる限りは、高確率で「Ｖロング」の大当り遊技が行われる（繰り返し「高確率・電サポ状態」が設定され易い）遊技者にとって有利な状態である。
【００７２】
ここで、「高確率・電サポ状態」中は、第１特図の変動表示が行われる場合であっても、高確率（約１０分の１）で大当り図柄が停止表示する。そして、第１特図が大当り図柄で停止表示すると、１０％の確率で「Ｖロング」の大当り遊技が行われると共に再度「高確率・電サポ状態」が設定される。すなわち、「高確率・電サポ状態」中に、第１特図が大当り図柄で停止表示する場合であっても、１０％の確率で「高確率・電サポ状態」は継続する。これに対して、「高確率・電サポ状態」中に、第１特図が大当り図柄で停止表示し、９０％の確率で「Ｖショート」の大当り遊技が行われると、「高確率・電サポ状態」が終了して「低確率・非電サポ状態」が設定されることとなる。すなわち、遊技者に有利な状態が終了することとなる（いわゆる転落することとなる）。
【００７３】
そこで、本実施例のパチンコ機１では、「Ｖロング」の大当り遊技が行われる場合において、「高確限定ショート当り保留」が記憶されているか否かを判断する。「高確限定ショート当り保留」とは、『高確率状態であれば「Ｖショート」の大当り遊技が行われてしまうものの、低確率状態であれば外れとなる特図保留』である。そして、「高確限定ショート当り保留」が記憶されている場合は、「高確限定ショート当り保留」が消化（特図当り判定）される前に行われる「Ｖロング」の大当り遊技中に、「高確限定ショート当り保留」が記憶されていることを示唆する「ナビ演出」を行う。換言すると、遊技球を特定口３８に入球させないことで遊技状態を「低確率・電サポ状態」に移行させるように遊技者に促す「ナビ演出」を行う。そして、「Ｖロング」の大当り遊技中に遊技球が特定口３８に入球しなかった場合は（「ナビ演出」を受けて遊技者が特定口３８に遊技球を入球させなかった場合は）、図９（ｂ）にハッチングの矢印で示すように「Ｖロング」の大当り遊技終了後の遊技状態が「低確率・非電サポ状態」に設定される。「高確限定ショート当り保留」は、このように設定された「低確率・電サポ状態」中に消化されることとなるので、図９（ｂ）に破線矢印で示すように、特図当り判定で「外れ」と判定されて、「Ｖショート」の大当り遊技は行われず、ひいては、「低確率・電サポ状態」が継続することとなる。すなわち、本実施例のパチンコ機１では、「高確限定ショート当り保留」が記憶された場合は、「高確率・電サポ状態」が設定されたままであれば「Ｖショート」の大当り遊技が行われて「低確率・非電サポ状態」が設定されるものの、「高確限定ショート当り保留」が消化される前に遊技状態を「高確率・電サポ状態」から「低確率・電サポ状態」に移行させることによって、該「低確率・電サポ状態」を継続させることができる（高確率状態は終了するものの電サポ状態は継続させることができる）。尚、図９を用いて上述した遊技内容を実現するための処理については後に詳しく説明する。
【００７４】
Ｃ．遊技制御処理  ：
上述したような遊技の進行は、主制御基板２００のＣＰＵ２０１が遊技制御処理を実行することによって実現される。以下では、この遊技制御処理について、図１０に示すフローチャートを用いて説明する。遊技制御処理は、主制御基板２００のＣＰＵ２０１によって、所定周期毎に（例えば４ｍｓｅｃ毎に発生するタイマ割り込みに基づいて）行われる。尚、以下の説明では、ＣＰＵ２０１の初期化処理や、割り込み禁止処理、割り込み許可処理などの周知の処理については、その説明を省略している。
【００７５】
＜出力処理＞
図１０に示すように、主制御基板２００のＣＰＵ２０１は遊技制御処理を開始すると先ず、出力処理（Ｓ１００）を行う。本実施例のパチンコ機１では、後述する各種処理において、サブ制御基板２２０を初めとする各種制御基板に向けて送信する各種コマンドをＲＡＭ２０３に確保された出力バッファに記憶する。出力処理（Ｓ１００）では、このように出力バッファに記憶された各種コマンドを各種制御基板に向けて送信する処理が行われる。こうすることにより、例えば、サブ制御基板２２０では、遊技の進行に合わせた演出の制御が行われることになり、払出制御基板２４０では、払出モーター２４３の駆動制御（遊技球の払い出し）が行われることとなる。
【００７６】
＜入力処理＞
主制御基板２００のＣＰＵ２０１は、続いて、入力処理（Ｓ２００）を行う。本実施例のパチンコ機１では上述したように、第１始動口２４、第２始動口２５、一般入球口、第１大入賞口２８、第２大入賞口３５の何れかに遊技球が入球した場合は遊技球が払い出される。そこで、入力処理（Ｓ２００）では、これらの入球を検知するセンサー類（第１始動口センサー２４ｓや、第２始動口センサー２５ｓ、第１大入賞口センサー２８ｓ、第２大入賞口センサー３５ｓ等）について、遊技球を検知したか否かを判断する。その結果、遊技球を検知している場合は、払い出す遊技球の数を示す払出コマンドを上述した出力バッファに記憶する。こうして出力バッファに記憶された払出コマンドは次回の出力処理（Ｓ１００）で払出制御基板２４０に向けて送信される。
【００７７】
＜乱数更新処理＞
主制御基板２００のＣＰＵ２０１は、続いて、乱数更新処理（Ｓ３００）を行う。本実施例のパチンコ機１では上述したように、所定の判定乱数に基づいて特図当り判定や普図当り判定が行われる。詳しくは、特図当り判定は「特図当り判定乱数」に基づいて行われ、普図当り判定は「普図当り判定乱数」に基づいて行われる。また、本実施例のパチンコ機１における特別図柄の変動表示は後述する変動パターンに基づいて行われるが、この変動パターンは「変動パターン選択乱数」に基づいて選択される。また、本実施例のパチンコ機１では、特図当り判定結果が「大当り」である場合は２００種類（第１特図、第２特図それぞれ２００種類）の大当り図柄のうち何れかの大当り図柄が停止表示されるが、これらの図柄の種類は「図柄選択乱数」に基づいて選択される。乱数更新処理（Ｓ３００）では、これらの乱数を更新する。尚、これらの乱数の更新は、乱数更新処理（Ｓ３００）においてだけでなく、遊技制御処理を終了してから次の遊技制御処理を開始するまでの期間（次のタイマ割り込みまでの期間）にも行うこととしてもよい。また、乱数更新の専用回路を設けて、この専用回路で乱数を更新することとしてもよい。
【００７８】
＜始動口等センサー検出処理＞
主制御基板２００のＣＰＵ２０１は、続いて、始動口等センサー検出処理（Ｓ４００）を行う。この始動口等センサー検出処理（Ｓ４００）では、普図保留、第１特図保留、第２特図保留を記憶する処理が行われる。すなわち、主制御基板２００のＣＰＵ２０１は先ず、ゲートセンサー２７ｓの検知結果に基づいて、遊技球が普通図柄作動ゲート２７を通過したか否かを判断する。その結果、遊技球が普通図柄作動ゲート２７を通過した場合は、普図保留数が上限値である４個に達しているか否かを判断する。そして、普図保留数が４個に達していなければ、普図当り判定乱数を取得すると共に該普図当り判定乱数を普図保留として記憶する。普図保留は、記憶した順序を識別できるように、ＲＡＭ２０３に確保された普図保留記憶領域に記憶される。尚、遊技球が普通図柄作動ゲート２７を通過していなかった場合や、普図保留数が既に４個に達していた場合は、新たな普図保留は記憶しない。
【００７９】
こうして普図保留の記憶に係る処理を行ったら、続いて、第１特図保留および第２特図保留を記憶する処理を行う。図１１には、始動口等センサー検出処理（Ｓ４００）の一環として行われる特図保留記憶処理が示されている。図１１に示すように、主制御基板２００のＣＰＵ２０１は、特図保留記憶処理を開始すると先ず、第１始動口センサー２４ｓの検知結果に基づいて、第１始動口２４に遊技球が入球したか否かを判断する（Ｓ２５２）。その結果、第１始動口２４に遊技球が入球した場合は（Ｓ２５２：ｙｅｓ）、第１特図保留数が上限値である４個に達しているか否かを判断する（Ｓ２５４）。そして、第１特図保留数が上限値に達していなければ（Ｓ２５４：ｎｏ）、判定乱数（特図当り判定乱数、変動パターン選択乱数、図柄選択乱数など、本発明における「取得情報」）を取得する（Ｓ２５６）。そして、取得したこれらの判定乱数を主制御基板２００のＲＡＭ２０３（本発明における「取得情報記憶手段」）に第１特図保留として記憶する（Ｓ２５８）。こうして第１特図保留を記憶したら、第１特図保留数に「１」を加算する（Ｓ２６０）。
【００８０】
ここで、第１特図の変動表示（図柄変動遊技）は、第１特図保留として取得された特図当り判定乱数、変動パターン選択乱数、図柄選択乱数などに基づいて行われる。また、第１特図の変動表示に合わせて行われる演出（図柄変動演出）も、第１特図保留として取得された特図当り判定乱数、変動パターン選択乱数、図柄選択乱数などに基づいて行われる。従って、第１特図保留を記憶した場合は、該第１特図保留に基づく変動表示を開始するタイミングが未だ到来していなくても（変動開始条件が成立していなくても）、該第１特図保留に基づく変動表示や演出（第１特図保留に基づく図柄変動遊技や図柄変動演出）の態様を判定することが可能である。例えば、第１特図保留に基づく変動表示が行われる前であっても、該第１特図保留に基づく変動表示が行われた場合に大当り図柄が停止表示されるか否かや、リーチ演出が行われるか否か等を判定することが可能である。このような判定は事前判定と称されるものであって、本実施例のパチンコ機１では、第１特図保留を記憶すると、該第１特図保留について事前判定を行い（Ｓ２６２）、該事前判定結果を該第１特図保留と対応付けて記憶する。
【００８１】
こうして、今回記憶した第１特図保留について事前判定を行ったら（Ｓ２６２）、第１保留記憶コマンドをＲＡＭ２０３の出力バッファに記憶する（Ｓ２６４）。第１保留記憶コマンドには、第１特図保留が記憶されたことを示す情報や、今回記憶した第１特図保留を含む現在の第１特図保留数を示す情報に加えて、今回記憶した第１特図保留についての事前判定結果を示す情報が含まれている。このように出力バッファに記憶された第１保留記憶コマンドは、次回の出力処理（Ｓ１００）でサブ制御基板２２０に向けて送信される。こうすることによって、サブ制御基板２２０は、第１特図保留の事前判定結果に基づいて種々の演出（事前演出）を実行することが可能となる。尚、遊技球が第１始動口２４に入球していなかった場合や（Ｓ２５２：ｎｏ）、第１特図保留数が既に４個に達していた場合は（Ｓ２５４：ｙｅｓ）、新たな第１特図保留は記憶せず、事前判定も行わない。
【００８２】
こうして第１特図保留に係る処理を行ったら、続いて、第２始動口センサー２５ｓの検知結果に基づいて、第２始動口２５に遊技球が入球したか否かを判断する（Ｓ２７２）。その結果、第２始動口２５に遊技球が入球した場合は（Ｓ２７２：ｙｅｓ）、第２特図保留数が上限値である４個に達しているか否かを判断する（Ｓ２７４）。そして、第２特図保留数が上限値に達していなければ（Ｓ２７４：ｎｏ）、判定乱数（特図当り判定乱数、変動パターン選択乱数、図柄選択乱数など、本発明における「取得情報」）を取得する（Ｓ２７６）。そして、取得したこれらの判定乱数を主制御基板２００のＲＡＭ２０３（本発明における「取得情報記憶手段」）に第２特図保留として記憶する（Ｓ２７８）。こうして第２特図保留を記憶したら、第２特図保留数に「１」を加算する（Ｓ２８０）。また、該第２特図保留についても上述と同様の事前判定を行い（Ｓ２８２）、該事前判定結果を該第２特図保留と対応付けて記憶する。
【００８３】
こうして、今回記憶した第２特図保留について事前判定を行ったら（Ｓ２８２）、第２保留記憶コマンドをＲＡＭ２０３の出力バッファに記憶する（Ｓ２８４）。第２保留記憶コマンドには、第２特図保留が記憶されたことを示す情報や、今回記憶した第２特図保留を含む現在の第２特図保留数を示す情報に加えて、今回記憶した第２特図保留についての事前判定結果の情報が含まれている。このように出力バッファに記憶された第２保留記憶コマンドは、次回の出力処理（Ｓ１００）でサブ制御基板２２０に向けて送信される。こうすることによって、サブ制御基板２２０は、第２特図保留の事前判定結果に基づいて種々の演出（事前演出）を実行することが可能となる。尚、遊技球が第２始動口２５に入球していなかった場合や（Ｓ２８２：ｎｏ）、第２特図保留数が既に４個に達していた場合は（Ｓ２８４：ｙｅｓ）、新たな第２特図保留は記憶せず、事前判定も行わない。
【００８４】
尚、特図保留（本発明における「取得情報」）に基づいて事前判定を行う主制御基板２００のＣＰＵ２０１は、本発明における「事前判定手段」に相当する。
【００８５】
＜事前判定の詳しい内容＞
以下では、事前判定の内容について詳しく説明するが、その準備として先ず、特図保留として取得される各種判定乱数について説明する。すなわち、事前判定は、特図保留として取得される各種判定乱数に基づいて行われることから、先ずは、この各種判定乱数について説明する。
【００８６】
図１２は、特図当り判定を行う際に参照される「特図当り判定テーブル」を概念的に示す説明図であり、なかでも、図１２（ａ）は、低確率状態にて特図当り判定を行う際に参照される「低確用特図当り判定テーブル」であり、図１２（ｂ）は、高確率状態にて特図当り判定を行う際に参照される「高確用特図当り判定テーブル」である。これらのテーブルは、主制御基板２００のＲＯＭ２０２に記憶されている。
【００８７】
本実施例では、特図当り判定乱数として、０〜６５５３５の６５５３６個の乱数値を取得することが可能であり、図１２（ａ）に示すように、「低確用特図当り判定テーブル」では１００００〜１０６５４の６５５個（約１００分の１、本発明における「第１の範囲」）の乱数値に「大当り」が対応付けて記憶されており、それ以外の乱数値に「外れ」が対応付けて記憶されている。また、図１２（ｂ）に示すように、「高確用特図当り判定テーブル」では１００００〜１６５５３の６５５４個（約１０分の１、本発明における「第２の範囲」）の乱数値に「大当り」が対応付けて記憶されており、それ以外の乱数値に「外れ」が対応付けて記憶されている。
【００８８】
特図当り判定では、低確率状態であれば「低確用特図当り判定テーブル」を参照し、高確率状態であれば「高確用特図当り判定テーブル」を参照し、第１特図または第２特図として取得した特図当り判定乱数が「大当り」に対応付けられた乱数値であれば「大当り」と判定し、「外れ」に対応付けられた乱数値であれば「外れ」と判定される。従って、図１２に示すように、第１特図または第２特図として取得した特図当り判定乱数が１００００〜１６５５３の範囲（本発明における「第２の範囲」）に含まれるものの１００００〜１０６５４の範囲（本発明における「第１の範囲」）に含まれない場合（１０６５５〜１６５５３である場合）は、高確率状態であれば「大当り」と判定されるものの低確率状態であれば「外れ」と判定されることとなる。
【００８９】
図１３は、停止表示する大当り図柄を選択する際に参照される「図柄選択テーブル」を概念的に示す説明図であり、なかでも、図１３（ａ）は、第１特図として停止表示する大当り図柄を選択する際に参照される「第１特図用図柄選択テーブル」であり、図１３（ｂ）は、第２特図として停止表示する大当り図柄を選択する際に参照される「第２特図用図柄選択テーブル」である。これらのテーブルは、主制御基板２００のＲＯＭ２０２に記憶されている。
【００９０】
本実施例では、図柄選択乱数として、０〜１９９の２００個の乱数値を取得することが可能であり、図１３（ａ）に示すように、「第１特図用図柄選択テーブル」では、０〜１７９の乱数値（９０％の乱数値）には「Ｖショート」の大当り遊技が行われる大当り図柄１０１〜２８０（図５（ａ）参照）がそれぞれ対応付けて記憶されており、１８０〜１９９の乱数値（１０％の乱数値）には「Ｖロング」の大当り遊技が行われる大当り図柄２８１〜３００（図５（ａ）参照）がそれぞれ対応付けて記憶されている。また、「第２特図用図柄選択テーブル」では、０〜１９９の乱数値（１００％の乱数値）に「Ｖロング」の大当り遊技が行われる大当り図柄４０１〜６００（図５（ｂ）参照）がそれぞれ対応付けて記憶されている。
【００９１】
第１特図についての特図当り判定で「大当り」と判定された場合は、「第１特図用図柄選択テーブル」を参照し、第１特図として取得した図柄選択乱数に対応付けられた大当り図柄を、停止表示する図柄として選択する。また、第２特図についての特図当り判定で「大当り」と判定された場合は、「第２特図用図柄選択テーブル」を参照し、第２特図として取得した図柄選択乱数に対応付けられた大当り図柄を、停止表示する図柄として選択する。
【００９２】
図１２を用いて上述したように、特図当り判定は、特図保留として取得された特図当り判定乱数に基づいて行われる。また、図１３を用いて上述したように、大当り図柄の選択は、特図保留として取得された図柄選択乱数に基づいて行われる。従って、特図保留を記憶した場合は、当該特図保留に基づく変動表示を開始するタイミングが未だ到来していなくても（変動開始条件が成立していなくても）、変動開始条件が成立した場合の特図当り判定の結果や大当り図柄の選択の結果を事前に判定（事前判定）することができる。そこで、本実施例のパチンコ機１では、図１１のＳ２６２やＳ２８２の事前判定として、少なくとも次のような処理を行う。
【００９３】
図１４に示すように、図１１のＳ２６２の事前判定（第１特図保留を記憶した場合の事前判定）としては、当該第１特図保留が図９を用いて前述した「高確限定ショート当り保留」であるか否かを判断する。すなわち、『高確率状態であれば「Ｖショート」の大当り遊技が行われてしまうものの、低確率状態であれば外れとなる特図保留』であるか否かを判断する。この「高確限定ショート当り保留」であるか否かの判断は、先ず、第１特図保留として取得した特図当り判定乱数が１０６５５〜１６５５３の範囲に含まれる乱数値（本発明における「第１の範囲に含まれず第２の範囲に含まれる高確限定当り情報」）であるか否か、すなわち、高確率状態であれば「大当り」と判定されるものの低確率状態であれば「外れ」と判定される乱数値であるか否かを判断する。その結果、第１特図保留として取得した特図当り判定乱数が１０６５５〜１６５５３である場合は、第１特図保留として取得した図柄選択乱数が０〜１７９の何れかであるか否か、すなわち、「Ｖショート」の大当り遊技が行われる大当り図柄１０１〜２８０が選択される乱数値であるか否かを判断する。その結果、第１特図保留として取得した図柄選択乱数が０〜１７９の何れかである場合は、当該第１特図保留は「高確限定ショート当り保留」であると判断（事前判定）する。
【００９４】
以上のように、図１１のＳ２６２の事前判定（第１特図保留を記憶した場合の事前判定）では、当該第１特図保留として取得した特図当り判定乱数が１０６５５〜１６５５３の何れかであり（本発明における「高確限定当り情報」であり）、第１特図保留として取得した図柄選択乱数が０〜１７９の何れかである場合に、当該第１特図保留は『高確率状態であれば「Ｖショート」の大当り遊技が行われてしまうものの、低確率状態であれば外れとなる特図保留（高確限定ショート当り保留）』であると判定する。
【００９５】
また、図１１のＳ２６２の事前判定（第１特図保留を記憶した場合の事前判定）では、当該第１特図保留が「低確時ロング当り保留」であるか否かも判断する。「低確時ロング当り保留」とは『低確率状態であれば「Ｖロング」の大当り遊技が行われる特図保留』である。この「低確時ロング当り保留」であるか否かの判断では、先ず、低確率状態が設定されている場合の特図当り判定の結果が「大当り」となるか否かを判断する。詳しくは、第１特図保留として取得した特図当り判定乱数が１００００〜１０６５４の何れかであるか否かを判断する。そして、低確率状態が設定されている場合の特図当り判定の結果が「大当り」となる場合は、第１特図保留として取得した図柄選択乱数が１８０〜１９９の何れかであるか否か、すなわち、「Ｖロング」の大当り遊技が行われる大当り図柄２８１〜３００が選択される乱数値であるか否かを判断する。その結果、第１特図保留として取得した図柄選択乱数が１８０〜１９９の何れかである場合は、当該第１特図保留は「低確時ロング当り保留」であると判断（事前判定）する。
【００９６】
更に、図１１のＳ２６２の事前判定（第１特図保留を記憶した場合の事前判定）では、当該第１特図保留が「高確時ロング当り保留」であるか否かも判断する。「高確時ロング当り保留」とは『高確率状態であれば「Ｖロング」の大当り遊技が行われる特図保留』である。この「高確時ロング当り保留」であるか否かの判断では、先ず、高確率状態が設定されている場合の特図当り判定の結果が「大当り」となるか否かを判断する。詳しくは、第１特図保留として取得した特図当り判定乱数が１００００〜１６６５５３の何れかであるか否かを判断する。そして、高確率状態が設定されている場合の特図当り判定の結果が「大当り」となる場合は、第１特図保留として取得した図柄選択乱数が１８０〜１９９の何れかであるか否か、すなわち、「Ｖロング」の大当り遊技が行われる大当り図柄２８１〜３００が選択される乱数値であるか否かを判断する。その結果、第１特図保留として取得した図柄選択乱数が１８０〜１９９の何れかである場合は、当該第１特図保留は「高確時ロング当り保留」であると判断（事前判定）する。
【００９７】
以上のように、図１１のＳ２６２の事前判定（第１特図保留を記憶した場合の事前判定）では、当該第１特図保留として取得した特図当り判定乱数が１００００〜１０６５４の何れかであり、第１特図保留として取得した図柄選択乱数が１８０〜１９９の何れかであれば、当該第１特図保留は『低確率状態であれば「Ｖロング」の大当り遊技が行われる特図保留（低確時ロング当り保留）』であると判断（事前判定）する。また、当該第１特図保留として取得した特図当り判定乱数が１００００〜１６５５３の何れかであり、第１特図保留として取得した図柄選択乱数が１８０〜１９９の何れかであれば、当該第１特図保留は『高確率状態であれば「Ｖロング」の大当り遊技が行われる特図保留（高確時ロング当り保留）』であると判断（事前判定）する。
【００９８】
一方、図１１のＳ２８２の事前判定（第２特図保留を記憶した場合の事前判定）では、図１４に示すように、当該第２特図保留が「低確時ロング当り保留」であるか否か、すなわち、『低確率状態であれば「Ｖロング」の大当り遊技が行われる特図保留』であるか否かを判断する。この「低確時ロング当り保留」であるか否かの判断では、低確率状態が設定されている場合に特図当り判定の結果が「大当り」となるか否かを判断する。詳しくは、第２特図保留として取得した特図当り判定乱数が１００００〜１０６５４の何れかであるか否かを判断する。すなわち、第２特図についての特図当り判定の結果が「大当り」となる場合は、全て「Ｖロング」の大当り遊技が行われるので、当該第２特図保留は「低確時ロング当り保留」であると判断（事前判定）する。
【００９９】
また、図１１のＳ２８２の事前判定（第２特図保留を記憶した場合の事前判定）では、図１４に示すように、当該第２特図保留が「高確時ロング当り保留」であるか否か、すなわち、『高確率状態であれば「Ｖロング」の大当り遊技が行われる特図保留』であるか否かを判断する。この「高確時ロング当り保留」であるか否かの判断では、高確率状態が設定されている場合に特図当り判定の結果が「大当り」となるか否かを判断する。詳しくは、第２特図保留として取得した特図当り判定乱数が１００００〜１６５５３の何れかであるか否かを判断する。すなわち、第２特図についての特図当り判定の結果が「大当り」となる場合は、全て「Ｖロング」の大当り遊技が行われるので、当該第２特図保留は「高確時ロング当り保留」であると判断（事前判定）する。
【０１００】
以上のように、図１１のＳ２８２の事前判定（第２特図保留を記憶した場合の事前判定）では、当該第２特図保留として取得した特図当り判定乱数が１００００〜１０６５４の何れかであれば、当該第２特図保留は『低確率状態であれば「Ｖロング」の大当り遊技が行われる特図保留（低確時ロング当り保留）』であると判断（事前判定）する。また、当該第２特図保留として取得した特図当り判定乱数が１００００〜１６５５３の何れかであれば、当該第１特図保留は『高確率状態であれば「Ｖロング」の大当り遊技が行われる特図保留（高確時ロング当り保留）』であると判断（事前判定）する。
【０１０１】
図１５は、特図保留および事前判定結果の記憶態様（特図保留記憶領域）を概念的に示す説明図である。特図保留および事前判定結果は、第１特図保留であるか第２特図保留であるかに拘わらず、取得（記憶）された順序が識別できるように、ＲＡＭ２０３に確保された特図保留記憶領域（本発明における「取得情報記憶手段」）に記憶される。例えば、図１５に示すように、記憶可能な特図保留数（第１特図保留数４個と第２特図保留数４個との合計８個）と同数の特図保留記憶領域を確保し、所定のアドレスから取得された順序で特図保留（各種判定乱数）を記憶する。また、各特図保留に対応付けてそれぞれの特図保留についての事前判定結果が記憶されている。当然ながら、この事前判定結果としては、図１４を用いて上述した「高確限定ショート当り保留」であるか否かや、「ロング当り保留」であるか否かも記憶されている。図１５に示す例では、全部で６個の特図保留が記憶されており、１番目（最先）、２番目、４番目、５番目に第２特図保留（各種判定乱数）が記憶されており、３番目、６番目に第１特図保留（各種判定乱数）が記憶されている。また、６個の特図保留それぞれについての事前判定結果が各特図保留に対応付けて記憶されている。
【０１０２】
＜普通動作処理＞
図１０の説明に戻り、主制御基板２００のＣＰＵ２０１は、続いて、普通動作処理（Ｓ５００）を行う。この普通動作処理（Ｓ５００）では、普通図柄を変動表示させたり、普図当り遊技を実行したりする処理が行われる。すなわち、主制御基板２００のＣＰＵ２０１は先ず、普図当り遊技中、普通図柄の変動表示中、普通図柄の確定表示中の何れかであるか否かを判断する。その結果、普図当り遊技中、普通図柄の変動表示中、普通図柄の確定表示中の何れでもない場合は、上述の普図保留記憶領域に普図保留が記憶されているか否かを判断する。その結果、普図保留記憶領域に普図保留が記憶されている場合は、記憶されている普図保留のうち最先に記憶された普図保留を読み出す。そして、読み出した普図保留、すなわち、普図当り判定乱数に基づいて普図当り判定を行う。詳しくは、非電サポ状態中であれば、「普図当り」となる確率が１００分の１である（普図保留として取得可能な普図当り判定乱数のうち１００分の９９の乱数を普図当りとする）普図当り判定を行い、電サポ状態中であれば、「普図当り」となる確率が１００分の９９である（普図保留として取得可能な普図当り判定乱数のうち１００分の９９の乱数を普図当りとする）普図当り判定を行う。
【０１０３】
普図当り判定を行ったら、該普図当り判定の結果が普図当りであるか否かを判断する。その結果、普図当り判定の結果が普図当りである場合は、今回の普通図柄の変動表示にて停止表示する図柄（停止図柄）として普図当り図柄を記憶する。すなわち、今回の普通図柄の変動表示の結果として普図表示部５６の左のＬＥＤ（図４参照）を点灯することを記憶する。これに対して、普図当り判定の結果が普図外れである場合は、今回の普通図柄の変動表示にて停止表示する図柄（停止図柄）として普図外れ図柄を記憶する。すなわち、今回の普通図柄の変動表示の結果として普図表示部５６の右のＬＥＤ（図４参照）を点灯することを記憶する。
【０１０４】
こうして、今回の普通図柄の変動表示の結果として普図表示部５６の左のＬＥＤを点灯すること、あるいは、普図表示部５６の右のＬＥＤを点灯することを記憶したら、普通図柄の変動時間を設定する。詳しくは、非電サポ状態中であれば、１０００ｍ秒、２０００ｍ秒、３０００ｍ秒の何れかを設定し、電サポ状態中であれば、１０００ｍ秒、１２５２ｍ秒、１５００ｍ秒の何れかを設定する。普通図柄の変動時間を設定したら、普通図柄の変動表示を開始する。そして、今回の普図当り判定の対象となった普図当り判定乱数（普図保留）を記憶領域から消去する。
【０１０５】
以上は、普図当り遊技中、普通図柄の変動表示中、普通図柄の確定表示中の何れでもない場合の処理について説明した。これに対して、普通図柄の変動表示中である場合は、変動表示中の普通図柄の変動時間が経過したか否かを判断する。その結果、変動時間が経過したと判断された場合は、変動表示中の普通図柄を予め記憶しておいた態様で停止表示する。すなわち、普図当り判定の結果が普図当りであった場合は普図表示部５６の左のＬＥＤを点灯した状態とし（普図当り図柄を停止表示し）、普図当り判定の結果が外れであった場合は普図表示部５６の右のＬＥＤを点灯した状態した状態とする（外れ図柄を停止表示する）。このように普通図柄を停止表示したら、普通図柄の確定表示が開始されるので、普通図柄の確定表示時間を設定する。
【０１０６】
これに対して、普通図柄の確定表示中である場合は、確定表示時間が経過したか否かを判断する。その結果、確定表示時間が経過した場合は、今回停止表示（確定表示）された普通図柄が普図当り図柄（普図表示部５６の左のＬＥＤの点灯）であるか否かを判断する。その結果、停止表示された普通図柄が普図当り図柄であった場合は、普図当り遊技における第２始動口２５の開放パターン（開放回数、開放時間、閉鎖時間など）を設定する。詳しくは、非電サポ状態中であれば、第２始動口２５が短時間（１６ｍ秒間×１回）開放状態となる開放パターンを設定し、電サポ状態中であれば第２始動口２５が長時間（８４０ｍ秒間×２回）開放状態となる開放パターンを設定する。こうして開放パターンを設定したら、普図当り遊技を開始する。
【０１０７】
これに対して、普図当り遊技中である場合は、上述の開放パターンで第２始動口２５が開放状態・閉鎖状態となるように、第２始動口ソレノイド２６ｍを制御して開閉扉２６を動作させる。そして、この開放パターンに従う制御が終了したら普図当り遊技を終了する。
【０１０８】
＜特別動作処理＞
主制御基板２００のＣＰＵ２０１は、続いて、特別動作処理（Ｓ６００）を行う。この特別動作処理（Ｓ６００）では、特別図柄（第１特図または第２特図）を変動表示させたり、大当り遊技を実行したりする処理が行われる。すなわち、主制御基板２００のＣＰＵ２０１は先ず、大当り遊技中、特別図柄（第１特図または第２特図）の変動表示中、特別図柄（第１特図または第２特図）の確定表示中の何れかであるか否かを判断する。その結果、これらの何れでもない場合は、第１特図保留であるか第２特図保留であるかに拘わらず、最先に記憶された特図保留を、図１５を用いて上述した特図保留記憶領域から読み出す。そして、読み出した特図保留に含まれる特図当り判定乱数に基づいて特図当り判定を行う。すなわち、図１２を用いて前述したように、低確率状態が設定されている場合は、「大当り」となる確率が約１００分の１である特図当り判定を行い、高確率状態が設定されている場合は、「大当り」となる確率が約１０分の１である特図当り判定を行う。
【０１０９】
そして、特図当り判定の結果が「大当り」である場合は、今回読み出した第１特図保留または第２特図保留に含まれる図柄選択乱数に基づいて、今回の特別図柄の変動表示（図柄変動遊技）にて停止表示する大当り図柄の種類を選択する。すなわち、図１２を用いて前述したように、第１特図保留を読み出した場合は、大当り図柄１０１〜３００の中から図柄選択乱数に対応する大当り図柄を、停止表示する図柄として選択する。また、第２特図保留を読み出した場合は、大当り図柄４０１〜６００の中から図柄選択乱数に対応する大当り図柄を、停止表示する図柄として選択する。
【０１１０】
一方、特図当り判定の結果が「外れ」である場合においては、第１特図保留を読み出した場合は外れ図柄１０１を停止表示する図柄として選択し、第２特図保留を読み出した場合は外れ図柄４０１を停止表示する図柄として選択する。尚、停止表示する図柄として選択された大当り図柄や外れ図柄は、ＲＡＭ２０３に確保された停止図柄記憶領域に記憶される。
【０１１１】
こうして停止表示する図柄を選択したら、特別図柄の変動表示（図柄変動遊技）の変動パターンを選択する。変動パターンとは、特別図柄（第１特図または第２特図）が変動表示を開始してから停止表示するまでの時間（変動時間）であり、各変動パターンには他の変動パターンと識別するための情報（変動パターンＩＤ）が付されている。変動パターンを選択する処理では変動パターン選択テーブルを参照する。変動パターン選択テーブルとは、図１６に示すように、複数の変動パターン（変動パターンＩＤ、変動時間）に変動パターン選択乱数が割り振られたテーブルである。変動パターンを選択する処理では、このような変動パターン選択テーブルを参照して、第１特図保留または第２特図保留として今回読み出した変動パターン選択乱数に対応する変動パターンを、今回の変動パターンとして選択する。従って、各変動パターンが選択される確率は、取得可能な変動パターン選択乱数のうち、各変動パターンに割り振られた乱数の割合によって決定される。
【０１１２】
このように選択された変動パターンは、後述の変動パターン指定コマンドを送信することによって、サブ制御基板２２０に伝達される。サブ制御基板２２０のＣＰＵ２２１は、変動パターン指定コマンドを受信すると、該変動パターン指定コマンドに基づいて今回の図柄変動遊技の変動パターンを認識し、認識した変動パターンに基づく（対応する）演出パターンで図柄変動演出を実行する。
【０１１３】
上述した変動パターンを選択する処理では、常時同じ変動パターン選択テーブルを参照するのではなく、種々の遊技進行状況に対応する変動パターン選択テーブルを参照する。詳しくは、図１７に示すように、特別図柄の種類（第１特図または第２特図）や、現在設定されている遊技状態、特図当り判定の結果、記憶されている第１特図保留および第２特図保留の数などに対応する変動パターン選択テーブルを参照する。こうすることで、種々の遊技進行状況に対応する変動パターンを選択可能となり、ひいては、サブ制御基板２２０のＣＰＵ２２１は種々の遊技進行状況に対応する演出パターンで図柄変動演出を実行可能となる。例えば、サブ制御基板２２０のＣＰＵ２２１は、特図当り判定の結果が「大当り」である場合は、リーチ演出の後に識別図柄４１ａ，４１ｂ，４１ｃをゾロ目で停止表示する図柄変動演出を実行する。また、特図当り判定の結果が外れである場合において所定の変動パターン（リーチ演出に対応する変動パターン）が選択された場合は、リーチ演出の後に識別図柄４１ａ，４１ｂ，４１ｃをバラケ目で停止表示させる図柄変動演出を行う。尚、各変動パターン選択テーブルは、主制御基板２００のＲＯＭ２０２に予め記憶されている。
【０１１４】
こうして、今回の特別図柄の変動表示にて停止表示させる図柄を選択すると共に、今回の特別図柄の変動表示の変動パターンを選択したら、特別図柄の変動表示を開始する。そして、今回選択された変動パターンを示す変動パターン指定コマンドをＲＡＭ２０３の出力バッファに記憶する。このように出力バッファに記憶された変動パターン指定コマンドは、次回の出力処理（Ｓ１００）でサブ制御基板２２０に向けて送信される。また、今回の特図当り判定の対象となった第１特図保留または第２特図保留（最先に記憶されていた特図保留）を、図１５を用いて前述した特図保留記憶領域から削除し、残りの特図保留を最先側（１番目側）に１つずつ移動（シフト）させる（記憶した順序を１つずつ繰り上げる）。
【０１１５】
尚、特図保留（特図当り判定乱数、本発明における「取得情報」）が「大当り」に対応付けられた乱数値（本発明における「当り情報」）であれか否かの特図当り判定（本発明における「当り判定」）を行う主制御基板２００のＣＰＵ２０１は、本発明における「当り判定手段」に相当する。
【０１１６】
以上は、大当り遊技中、特別図柄（第１特図または第２特図）の変動表示中、特別図柄の確定表示中の何れでもない場合の処理について説明した。これに対して、特別図柄の変動表示中である場合は、変動表示中の特別図柄の変動時間が経過したか否かを判断する。その結果、変動時間が経過したと判断された場合は、変動表示中の特別図柄を予め停止図柄記憶領域に記憶しておいた図柄で停止表示する（確定表示を開始する）。このように特別図柄が停止表示されたら、特別図柄の確定表示が開始されるので、特別図柄の確定表示時間を設定する。そして、特別図柄を停止表示したことを示す変動停止コマンドをＲＡＭ２０３の出力バッファに記憶する。このように出力バッファに記憶された変動停止コマンドは、次回の出力処理（Ｓ１００）でサブ制御基板２２０に向けて送信される。
【０１１７】
以上は、特別図柄の変動表示中である場合の処理について説明した。これに対して、特別図柄の確定表示中である場合は、確定表示時間が経過したか否かを判断する。その結果、確定表示時間が経過した場合は、今回停止表示（確定表示）された特別図柄が大当り図柄、外れ図柄の何れであるか否かを判断する。その結果、停止表示された特別図柄が外れ図柄であった場合は、「低確率・電サポ状態」が設定されているか否かも判断し、「低確率・電サポ状態」が設定されている場合は、「低確率・電サポ状態」が終了するまでの残りの図柄変動遊技回数（以下「残り電サポ回数」）を１回減算する。その結果、「残り電サポ回数」が０回になったら、「低確率・非電サポ状態」を設定する。このように遊技状態を設定した場合は、設定された遊技状態を示す遊技状態指定コマンドをＲＡＭ２０３の出力バッファに記憶する。このように出力バッファに記憶された遊技状態指定コマンドは、次回の出力処理（Ｓ１００）でサブ制御基板２２０に向けて送信される。
【０１１８】
これに対して、停止表示された特別図柄が大当り図柄であった場合は、大当り遊技における第１大入賞口２８および第２大入賞口３５の開放パターン（開放回数、開放時間、閉鎖時間など）を設定する。図５を用いて前述したように、「Ｖショート」の大当り遊技を行う場合は、１回目のラウンド遊技で第１大入賞口２８を１０秒間（あるいは４個の遊技球が入球するまで）開放状態とし、２回目のラウンド遊技で第２大入賞口３５を０．２秒間開放状態とする開放パターンを設定する。また、「Ｖロング」の大当り遊技を行う場合は、１回目のラウンド遊技で第１大入賞口２８を１０秒間（あるいは４個の遊技球が入球するまで）開放状態とし、２回目のラウンド遊技で第２大入賞口３５を１０秒間（あるいは４個の遊技球が入球するまで）開放状態とする開放パターンを設定する。
【０１１９】
こうして、第１大入賞口２８および第２大入賞口３５の開放パターンを設定したら、大当り遊技を開始する。そして、大当り遊技の開始を示す大当り遊技開始コマンドをＲＡＭ２０３の出力バッファに記憶する。この大当り遊技開始コマンドには、今回開始する大当り遊技の種類（図５参照）を示す情報も含まれている。出力バッファに記憶された大当り遊技開始コマンドは、次回の出力処理（Ｓ１００）でサブ制御基板２２０に向けて送信される。
【０１２０】
以上は、特別図柄の確定表示中である場合の処理について説明した。これに対して、大当り遊技中である場合は、上述の開放パターンで第１大入賞口２８または第２大入賞口３５が開放状態・閉鎖状態となるように、第１大入賞口ソレノイド２８ｍまたは第２大入賞口ソレノイド３５ｍを制御して開閉扉２９または開閉扉３６を動作させる。
【０１２１】
また、ラウンド遊技の開始時には、ラウンド遊技の開始を示すラウンド遊技開始コマンドをＲＡＭ２０３の出力バッファに記憶し、ラウンド遊技の終了時には、ラウンド遊技の終了を示すラウンド遊技終了コマンドをＲＡＭ２０３の出力バッファに記憶する。このように出力バッファに記憶されたラウンド遊技開始コマンド、ラウンド遊技終了コマンドは、次回の出力処理（Ｓ１００）でサブ制御基板２２０に向けて送信される。また、大当り遊技中（最後のラウンド遊技中）に第２大入賞口３５から入球した遊技球が特定口３８に入球したら、その旨を示す特定口入球コマンドをＲＡＭ２０３の出力バッファに記憶する。このように出力バッファに記憶された特定口入球コマンドは、次回の出力処理（Ｓ１００）でサブ制御基板２２０に向けて送信される。
【０１２２】
上述の開放パターンに従う第１大入賞口ソレノイド２８ｍおよび第２大入賞口ソレノイド３５ｍの制御（開閉扉２９および開閉扉３６の動作）が終了したら大当り遊技を終了する。そして、大当り遊技の終了を示す大当り遊技終了コマンドをＲＡＭ２０３の出力バッファに記憶する。このように出力バッファに記憶された大当り遊技終了コマンドは、次回の出力処理（Ｓ１００）でサブ制御基板２２０に向けて送信される。大当り遊技を終了したら、該大当り遊技の種類や、遊技球が特定口３８（本発明における「特定領域」）に入球したか否かに応じて、遊技状態や「残り電サポ回数」を設定する（図７、図８参照）。このように遊技状態や「残り電サポ回数」を設定したら、設定された遊技状態を示す遊技状態指定コマンドをＲＡＭ２０３の出力バッファに記憶する。このように出力バッファに記憶された遊技状態指定コマンドは、次回の出力処理（Ｓ１００）でサブ制御基板２２０に向けて送信される。
【０１２３】
尚、「大当り遊技」は本発明における「特定遊技」に相当する。従って、大当り遊技を実行する主制御基板２００のＣＰＵ２０１は、本発明における「特定遊技実行手段」に相当する。また、高確率状態と低確率状態とを設定可能な主制御基板２００のＣＰＵ２０１は、本発明における「遊技状態設定手段」に相当する。
【０１２４】
＜保留数処理＞
主制御基板２００のＣＰＵ２０１は、続いて、保留数処理（Ｓ７００）を行う。この保留数処理（Ｓ７００）では、特図保留記憶領域に記憶されている第１特図保留の数、および、第２特図保留の数を読み出して、これらの数を示す保留数伝達コマンドをＲＡＭ２０３の出力バッファに記憶する。こうして出力バッファに記憶された保留数伝達コマンドも次回の出力処理（Ｓ１００）でサブ制御基板２２０に向けて送信される。こうすることによって、サブ制御基板２２０は、第１特図保留の数や第２特図保留の数に対応する保留図柄を演出表示装置４１に表示する等、これらの数に基づいて種々の演出を実行することが可能となる。
【０１２５】
Ｄ．演出制御処理  ：
上述したように、遊技の進行は、主制御基板２００のＣＰＵ２０１によって遊技制御処理が行われることによって実現されるが、遊技の進行に合わせた演出は、サブ制御基板２２０のＣＰＵ２２１が演出制御処理を実行することによって実現される。以下では、この演出制御処理について、図１８に示すフローチャートを用いて説明する。演出制御処理は、サブ制御基板２２０のＣＰＵ２２１によって、所定周期毎に（例えば１０ｍｓｅｃ毎に発生するタイマ割り込みに基づいて）行われる。尚、以下の説明では、ＣＰＵ２２１の初期化処理や、割り込み禁止処理、割り込み許可処理などの周知の処理については、その説明を省略している。
【０１２６】
演出制御処理を開始すると、サブ制御基板２２０のＣＰＵ２２１は先ず、コマンド解析処理を行う（Ｓ８００）。ここで、サブ制御基板２２０のＣＰＵ２２１は、主制御基板２００からコマンドを受信するたびに、あるいは、各種基板から検知信号を受信するたびに、外部割り込み処理として、受信したコマンドや検知信号をＲＡＭ２２３の受信コマンド記憶領域に記憶している。コマンド解析処理（Ｓ８００）では、この受信コマンド記憶領域に記憶されたコマンドや検知信号、すなわち、受信したコマンドや検知信号に対応する演出を決定し、この演出を行うべく、画像音声制御基板２３０やランプ制御基板２２６等に送信するコマンドをＲＡＭ２２３に確保された出力バッファに記憶する。
【０１２７】
サブ制御基板２２０のＣＰＵ２２１は、続いて、出力処理を行う（Ｓ９００）。この処理では、ＲＡＭ２２３の出力バッファに記憶されたコマンドを、画像音声制御基板２３０やランプ制御基板２２６等に送信する。サブ制御基板２２０からコマンドを受信すると、画像音声制御基板２３０は、受信したコマンドに対応する画像を演出表示装置４１に表示すると共に、受信したコマンドに対応する音声を各種スピーカー６ａ，６ｂ等から出力する。また、ランプ制御基板２２６は、受信したコマンドに対応する発光パターンで各種ランプ５ａ〜５ｃ等を発光させる。
【０１２８】
以上のように、サブ制御基板２２０は、画像音声制御基板２３０やランプ制御基板２２６等と協働して各種演出を実行するが、本明細書では説明の便宜上、このような各種演出を実行することを、単に「サブ制御基板２２０のＣＰＵ２２１が各種演出を実行する」とも表現する。
【０１２９】
図１９には、各種コマンド等に対応してサブ制御基板２２０のＣＰＵ２２１が行う処理が示されている。図１９に示すように、サブ制御基板２２０のＣＰＵ２２１は、保留数伝達コマンドを受信すると、このコマンドによって示される第１特図保留数および第２特図保留数と同数の保留図柄を、演出表示装置４１の第１保留表示領域４１ｄや第２保留表示領域４１ｅに表示する。
【０１３０】
また、変動パターン指定コマンドを受信すると、特別図柄（第１特図または第２特図）の変動表示に合わせて、変動パターン指定コマンドが示す変動パターンに対応する図柄変動演出（識別図柄４１ａ，４１ｂ，４１ｃの変動表示を含む）を開始する。
【０１３１】
ここで、本実施例のパチンコ機１では、図６（ｂ）を用いて前述したリーチ演出として複数種類のリーチ演出を実行可能である。図柄変動演出は、変動パターンに対応して行われるので、図柄変動演出の一環であるリーチ演出もそれぞれに対応する変動パターンが選択された場合に行われる。詳しくは、特図当り判定の結果が「大当り」である場合に各リーチ演出に対応する変動パターンが選択されると、この変動パターンに対応するリーチ演出が行われた後、識別図柄４１ａ，４１ｂ，４１ｃがゾロ目で停止表示する図柄変動演出が行われる。また、特図当り判定の結果が「外れ」である場合に各リーチ演出に対応する変動パターンが選択されると、この変動パターンに対応するリーチ演出が行われた後、識別図柄４１ａ，４１ｂ，４１ｃがバラケ目で停止表示する図柄変動演出が行われる。
【０１３２】
各リーチ演出の実行確率、すなわち、各リーチ演出に対応する変動パターンが選択される確率は、図１６を用いて前述した変動パターン選択テーブルにおいて、各変動パターンに割り振られる変動パターン選択乱数の割合によって設定されている。これによって、特図当り判定結果が「大当り」である確率（以下「大当り期待度」ともいう）を、複数種類のリーチ演出間で異ならせている。この結果、大当り期待度のより高いリーチ演出が行われることを遊技者に期待させることができる。
【０１３３】
リーチ演出の態様としては、これらの相違を遊技者が識別可能な態様であればよく、例えば、リーチ演出間で、表示されるキャラクター画像が互いに異なる態様や、表示される背景画像が互いに異なる態様、表示される色彩が互いに異なる態様、リーチ演出の開始時に停止表示されるゾロ目となり得る識別図柄（左識別図柄４１ａ，右識別図柄４１ｃなど）が互いに異なる態様などが採用される。
【０１３４】
上述したような図柄変動演出の実行中に変動停止コマンドを受信すると、サブ制御基板２２０のＣＰＵ２２１は、識別図柄４１ａ，４１ｂ，４１ｃをゾロ目、バラケ目の何れかで停止表示する。
【０１３５】
また、図１９に示すように、サブ制御基板２２０のＣＰＵ２２１は、大当り遊技開始コマンドを受信すると、大当り遊技中であることを示す大当り遊技演出を開始する。例えば、大当り遊技が開始されるタイミングで、大当り遊技の開始を示すファンファーレ演出を実行すると共に、大当り遊技中であることを示す動画（いわゆるムービー）の表示を開始する。また、開始された大当り遊技のラウンド遊技回数（１０回、１６回の何れか）を示唆する演出や、特定口３８へ遊技球を入球させることを遊技者に促す演出などを実行する。本実施例のパチンコ機１では、このような大当り遊技演出として、態様（例えば、表示する動画など）が互いに異なる複数の大当り遊技演出を実行可能であり、何れの大当り遊技演出を実行するかは、所定の抽選結果や、大当り遊技の種類に応じて決定される。
【０１３６】
そして、大当り遊技中にラウンド遊技開始コマンドを受信すると、サブ制御基板２２０のＣＰＵ２２１は、ラウンド遊技中であることを示すラウンド遊技演出を（例えば、大当り遊技演出に重ねて）開始する。例えば、実行中の大当り遊技におけるラウンド遊技の回数を示す演出（例えば、１Ｒ，２Ｒ，３Ｒ・・・を表示する演出など）を開始する。そして、ラウンド遊技終了コマンドを受信すると、ラウンド遊技演出を終了し、大当り遊技終了コマンドを受信すると、大当り遊技演出を終了する。
【０１３７】
また、図１９に示すように、サブ制御基板２２０のＣＰＵ２２１は、特定口入球コマンドを受信すると、特定口３８に遊技球が入球したことを示す演出を行う。例えば、演出表示装置４１の表示画面に「Ｖ」の文字を表示する演出を行う。また、遊技状態指定コマンドを受信すると、設定された遊技状態に対応する演出を開始する。例えば、識別図柄４１ａ，４１ｂ，４１ｃやその背景画像を遊技状態に対応する態様（色彩や形状など）とする演出を実行したり、「低確率・電サポ状態」が設定された場合は「残り電サポ回数」を表示する演出を開始したりする。また、演出操作基板２２８を介して操作信号を検知すると、すなわち、演出操作部１０ａ，１０ｂ，１０ｃが操作されると、該操作に対応する演出を開始する。
【０１３８】
また、図１９に示すように、サブ制御基板２２０のＣＰＵ２２１は、第１保留記憶コマンドまたは第２保留記憶コマンドを受信した場合は、事前演出を実行することがある。すなわち、第１保留記憶コマンドおよび第２保留記憶コマンドには、事前判定結果を示す情報が含まれている。そこで、サブ制御基板２２０のＣＰＵ２２１は、この事前判定結果に基づく事前演出を実行することがある。例えば、事前判定結果に対応するキャラクター等の画像を演出表示装置４１に表示させたり、演出表示装置４１の第１保留表示領域４１ｄや第２保留表示領域４１ｅに表示する保留図柄の態様を事前判定結果に対応する態様としたりする。また、図１４を用いて前述した「高確限定ショート当り保留」であるか否かの事前判定結果や、「ロング当り保留」であるか否かの事前判定結果に基づく事前演出としては（事前演出の一環として）、次のような「ナビ演出」が行われる。尚、事前判定の結果に基づいて事前演出を行うサブ制御基板２２０のＣＰＵ２２１は、本発明における「事前演出実行手段」に相当する。
【０１３９】
Ｅ．ナビ演出  ：
図９を用いて前述したように、本実施例のパチンコ機１では、「高確率・電サポ状態」中に、第１特図が大当り図柄で停止表示され、９０％の確率で「Ｖショート」の大当り遊技が行われると、「高確率・電サポ状態」が終了して「低確率・非電サポ状態」が設定されることとなる。そこで、「Ｖロング」の大当り遊技が行われる場合は、「高確限定ショート当り保留」が記憶されているか否かを判断する。そして、「高確限定ショート当り保留」が記憶されている場合は、「高確限定ショート当り保留」が消化（特図当り判定）される前に行われる「Ｖロング」の大当り遊技中に、「高確限定ショート当り保留」が記憶されていることを示唆する「ナビ演出」を行う。換言すると、遊技球を特定口３８に入球させないことで遊技状態を「低確率・電サポ状態」に移行させるように遊技者に促す「ナビ演出」を行う。そして、「Ｖロング」の大当り遊技中に遊技球が特定口３８に入球しなかった場合は（「ナビ演出」を受けて遊技者が特定口３８に遊技球を入球させなかった場合は）、図９（ｂ）にハッチングの矢印で示すように「Ｖロング」の大当り遊技終了後の遊技状態が「低確率・非電サポ状態」に設定される。「高確限定ショート当り保留」は、このように設定された「低確率・電サポ状態」中に消化されることとなるので、図９（ｂ）に破線矢印で示すように、特図当り判定で「外れ」と判定されて、「Ｖショート」の大当り遊技は行われず、ひいては、「低確率・電サポ状態」が継続することとなる。すなわち、本実施例のパチンコ機１では、「高確限定ショート当り保留」が記憶された場合は、「高確率・電サポ状態」が設定されたままであれば「Ｖショート」の大当り遊技が行われて「低確率・非電サポ状態」が設定されるものの、「高確限定ショート当り保留」が消化される前に遊技状態を「高確率・電サポ状態」から「低確率・電サポ状態」に移行させることによって、該「低確率・電サポ状態」を継続させることができる（高確率状態は終了するものの電サポ状態は継続させることができる）。
【０１４０】
図２０は、サブ制御基板２２０のＣＰＵ２２１によって実行されるナビ演出用処理を示すフローチャートである。このナビ演出用処理は、「ナビ演出」を実行するための処理であって、コマンド解析処理（図１８のＳ８００）の一環として実行される。ナビ演出用処理を開始すると、サブ制御基板２２０のＣＰＵ２２１は先ず、第１保留記憶コマンドまたは第２保留記憶コマンドを受信しているか否かを判断する（Ｓ８０２）。その結果、何れかの保留記憶コマンドを受信している場合は（Ｓ８０２：ｙｅｓ）、その保留記憶コマンドに基づいて事前判定結果を検出し、保留記憶コマンドを受信した順序（特図保留を記憶した順序）で該事前判定結果をＲＡＭ２２３の「事前判定結果記憶領域」に記憶する（Ｓ８０４）。すなわち、サブ制御基板２２０のＲＡＭ２２３の事前判定結果記憶領域には、図１５を用いて前述した特図保留記憶領域と同様の態様で事前判定結果が記憶される。
【０１４１】
続いて、大当り遊技開始コマンドを受信しているか否か、すなわち、大当り遊技が開始されるタイミングであるか否かを判断する（Ｓ８０６）。その結果、大当り遊技が開始されるタイミングである場合は（Ｓ８０６：ｙｅｓ）、大当り遊技開始コマンドに基づいて、開始される大当り遊技が「Ｖロング」の大当り遊技であるか否かを判断する（Ｓ８０８）。すなわち、Ｓ８０６とＳ８０８の判断処理を行うことによって、「Ｖロング」の大当り遊技の開始タイミングであるか否かを判断する。
【０１４２】
そして、「Ｖロング」の大当り遊技の開始タイミングである場合は（Ｓ８０８：ｙｅｓ）、事前判定結果記憶領域の内容を参照して「高確限定ショート当り保留」が記憶されているか否かを判断する（Ｓ８１０）。すなわち、『実行中の「Ｖロング」の大当り遊技終了後に高確率状態が設定されると（特定口３８へ遊技球が入球すると）「Ｖショート」の大当り遊技が行われ、実行中の「Ｖロング」の大当り遊技終了後に低確率状態が設定されると（特定口３８へ遊技球が入球しなければ）外れとなる（何れの大当り遊技も行われない）特図保留』が記憶されているか否かを判断する（Ｓ８１０）。その結果、「高確限定ショート当り保留」が記憶されている場合は（Ｓ８１０：ｙｅｓ）、「高確限定ショート当り保留」が記憶されていることを示唆する「ナビ演出」、すなわち、遊技球を特定口３８に入球させないことで遊技状態を「低確率・電サポ状態」に移行させるように遊技者に促す「ナビ演出」を実行する（Ｓ８１２）。例えば、図２１に示すように、「Ｖロング」の大当り遊技中であることを示す（「Ｖロング」という文字を演出表示装置４１に表示する）大当り遊技演出に併せて、「２ラウンド目では遊技球の打ち出しを停止してください」という文字を演出表示装置４１に表示する「ナビ演出」を実行する。
【０１４３】
このような「ナビ演出」を受けて遊技者が特定口３８に遊技球を入球させなかった場合は（２ラウンド目にて遊技球の打ち出しを停止した場合は）、図９（ｂ）にハッチングの矢印で示すように「Ｖロング」の大当り遊技終了後の遊技状態が「低確率・非電サポ状態」に設定される。そして、「高確限定ショート当り保留」は、このように設定された「低確率・電サポ状態」中に消化されることとなるので、特図当り判定で「外れ」と判定されて、「Ｖショート」の大当り遊技は行われず、ひいては、「低確率・電サポ状態」が継続することとなる。
【０１４４】
以上のように、本実施例のパチンコ機１では、Ｖロングの大当り遊技が開始される場合に、「高確限定ショート当り保留」が記憶されていれば、「ナビ演出」を実行する。そして、このような「ナビ演出」が行われたら、電サポ状態の継続を所望する遊技者に対しては、「Ｖショート」の大当り遊技が行われないこと（遊技球が特定領域を通過し難いことから非電サポ状態が設定され易い第１特定遊技が行われないこと）、すなわち、「高確限定ショート当り保留」についての特図当り判定が行われる際の（「高確限定ショート当り保留」が消化される際の）遊技状態が低確率状態となることを遊技者に期待させることとなる。従って、「Ｖロング」の大当り遊技の実行中に遊技球が特定領域を通過しないこと、すなわち、「低確率・電サポ状態」が設定されることを狙わせるという斬新な遊技性を実現することができ、遊技興趣を高めることが可能となる。
【０１４５】
ここで、上述したように「Ｖロング」の大当り遊技が開始されるに際して、「高確限定ショート当り保留」が記憶されていても、該「高確限定ショート当り保留」より先に、「高確時ロング当り保留（高確率状態であれば「Ｖロング」の大当り遊技が行われる特図保留）」が記憶されている場合は、当該「Ｖロング」の大当り遊技中は「ナビ演出」を行わないこととしてもよい。すなわち、この場合は、当該「Ｖロング」の大当り遊技終了後は、「高確限定ショート当り保留」が消化される前に「高確時ロング当り保留」が消化される。この場合、「ナビ演出」を行って当該「Ｖロング」の大当り遊技終了後に「低確率・電サポ状態」が設定されてしまうと、「高確時ロング当り保留」は低確率状態にて特図当り判定が行われることとなり、該「高確時ロング当り保留」に基づく「Ｖロング」の大当り遊技が行われなくなってしまう可能性がある（特図当り判定にて「外れ」と判定される可能性がある）。そこで、「Ｖロング」の大当り遊技が開始されるに際して、「高確限定ショート当り保留」が記憶されていても、該「高確限定ショート当り保留」より先に、「高確時ロング当り保留（高確率状態であれば「Ｖロング」の大当り遊技が行われる特図保留）」が記憶されている場合は、当該「Ｖロング」の大当り遊技中は「ナビ演出」を行わないこととしてもよい。こうすると、該「高確時ロング当り保留」に基づく「Ｖロング」の大当り遊技が行われなくなってしまうことを抑制することができる。
【０１４６】
また、上述したように「Ｖロング」の大当り遊技が開始されるに際して、「高確限定ショート当り保留」が記憶されていても、該「高確限定ショート当り保留」より後に、「低確時ロング当り保留（低確率状態であれば「Ｖロング」の大当り遊技が行われる特図保留）」が記憶されている場合は、当該「Ｖロング」の大当り遊技中は「ナビ演出」を行わないこととしてもよい。すなわち、この場合は、「ナビ演出」を行わないことによって、「Ｖショート」の大当り遊技が行われて「低確率・非電サポ状態」が設定されたとしても、その後すぐに、「Ｖロング」の大当り遊技が行われるので、「ナビ演出」を行わないこととしてもよい。
【０１４７】
Ｆ．変形例  ：
上述した実施例では、「ナビ演出」は、「Ｖロング」の大当り遊技が開始されるに際して、「高確限定ショート当り保留」が記憶されている場合に行うこととした。これに限らず、「Ｖロング」の大当り遊技の２回目のラウンド遊技が開始されるに際して、「高確限定ショート当り保留」が記憶されている場合に、「ナビ演出」を行うこととしてもよい。また、「高確限定ショート当り保留」が記憶されており、該「高確限定ショート当り保留」より先に、「高確時ロング当り保留」または「低確時ロング当り保留」が記憶されている場合に（例えば、第１特図や第２特図の外れとなる変動表示中に）、「ナビ演出を」行うこととしてもよい。
【０１４８】
また、上述した実施例では、事前演出として、「高確限定ショート当り保留」が記憶されていることを示唆する「ナビ演出」を実行することとしたが、『高確率状態が設定されている場合は特図当り判定の結果が「大当り」となり（大当り遊技が行われ）、低確率状態が設定されている場合は特図当り判定の結果が「外れ」となる（大当り遊技が行われない）特図保留』である「高確限定当り保留（本発明における「高確限定当り情報」）」が記憶されていることを示唆する演出を行うこととしてもよい。こうすると、「高確限定当り保留」が記憶されているという斬新な情報を遊技者に示唆することができ、遊技興趣を高めることが可能となる。
【０１４９】
また、「高確限定当り保留（本発明における「高確限定当り情報」）」が記憶されていることを示唆する演出は、高確率状態が設定されている場合に行うこととしてもよいし、低確率状態が設定されている場合に行うこととしてもよいし、大当り遊技中に行うこととしてもよい。そして、このような演出を高確率状態が設定されている場合に行うこととした場合は、遊技者が大当り遊技の実行を所望する場合は、「高確限定当り保留」について特図当り判定が行われるまで（「高確限定当り保留」が消化されるまで）高確率状態が継続されることを期待させ、遊技者が大当り遊技の実行を所望しない場合は、「高確限定当り保留」について当り判定が行われる前に（「高確限定当り保留」が消化される前に）低確率状態となることを期待させるという斬新な遊技性を実現することができ、遊技興趣を高めることが可能となる。また、低確率状態が設定されている場合に行うこととした場合は、遊技者が大当り遊技の実行を所望する場合は、「高確限定当り保留」について特図当り判定が行われる前に（「高確限定当り保留」が消化される前に）高確率状態が設定されることを期待させ、遊技者が大当り遊技の実行を所望しない場合は、「高確限定当り保留」について当り判定が行われるまで（「高確限定当り保留」が消化されるまで）低確率状態が継続されることを期待させるという斬新な遊技性を実現することができ、遊技興趣を高めることが可能となる。また、大当り遊技中に行うこととした場合は、遊技者が大当り遊技の実行を所望する場合は、大当り遊技の終了後に高確率状態が設定されることを期待させ、遊技者が大当り遊技の実行を所望しない場合は、大当り遊技の終了後に低確率状態が設定されることを期待させるという斬新な遊技性を実現することができ、遊技興趣を高めることが可能となる。
【０１５０】
また、上述した実施例では、事前演出として、「高確限定ショート当り保留」が記憶されていることを示唆する「ナビ演出」を実行することとしたが、『高確率状態であれば「Ｖロング」の大当り遊技が行われてしまうものの、低確率状態であれば外れとなる特図保留』である「高確限定ロング当り保留」が記憶されていることを示唆する演出を実行することとしてもよい。こうすると、「高確限定ショート当り保留」が記憶されていることを示唆する「ナビ演出」が行われた場合は、「高確限定ショート当り保留」について特図当り判定が行われる際に低確率状態が設定されていることを遊技者に期待させ、「高確限定ロング当り保留」が記憶されていることを示唆する演出が行われた場合は、「高確限定ロング当り保留」について特図当り判定が行われる際に高確率状態が設定されていることを遊技者に期待させるという斬新な遊技性を実現することができ、遊技興趣を高めることが可能となる。
【０１５１】
また、上述した実施例では、大当り遊技として、「Ｖショート」の大当り遊技と「Ｖロング」の大当り遊技とを実行可能であることとしたが、「Ｖショート」の大当り遊技に代えて、遊技状態が非電サポ状態に設定される非電サポ大当り遊技（本発明における「非電サポ特定遊技」）を実行し、「Ｖロング」の大当り遊技に代えて、遊技状態が電サポ状態に設定される電サポ大当り遊技（本発明における「電サポ特定遊技」）を実行することとしてもよい。そして、『高確率状態であれば非電サポ大当り遊技が行われてしまうものの、低確率状態であれば外れとなる特図保留』である「高確限定非電サポ当り保留」が記憶されていることを示唆する演出を行うこととしてもよい。こうすると、「高確限定非電サポ当り保留」が記憶されていることを示唆する演出が行われたら、電サポ状態の継続を所望する遊技者に対しては、非電サポ大当り遊技が行われて非電サポ状態が設定されないこと、すなわち、「高確限定非電サポ当り保留」についての特図当り判定が行われる際に（「高確限定非電サポ当り保留」が消化される際に）遊技状態が低確率状態に設定されていることを遊技者に期待させるという斬新な遊技性を実現することができ、遊技興趣を高めることが可能となる。
【０１５２】
また、上述した実施例では、「ナビ演出」は、「Ｖロング」の大当り遊技が開始されるに際して、「高確限定ショート当り保留」が記憶されている場合に行うこととした。これに限らず、上述の場合に所定の実行抽選を行い、この実行抽選に当選したら「ナビ演出」を行うこととしてもよい。また、この実行抽選の当選確率は、遊技ホールの従業員などが調節可能である構成としてもよい。
【０１５３】
以上、本発明の実施例および変形例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１５４】
例えば、上述した実施例では、第１特図保留であるか第２特図保留であるかに拘わらず、最先に記憶された特図保留についての特図当り判定および特別図柄の変動表示を行う（いわゆる特別図柄の順次変動機能を有する）遊技機に本発明を適用した構成としたが、これに限らない。例えば、第１特図保留および第２特図保留のうち第１特図保留のみが記憶されている場合は、最先に記憶された第１特図保留に係る特図当り判定および第１特図の変動表示を行うが、第２特図保留が記憶されている場合は第１特図保留が記憶されているか否かに拘わらず、第２特図保留に係る特図当り判定および第２特図の変動表示を行う遊技機に本発明を適用した構成としてもよい。すなわち、第２特図を第１特図に優先して変動表示させる（いわゆる第２特図の優先変動機能を有する）遊技機に本発明を適用した構成としてもよい。また、第１特図の変動表示と、第２特図の変動表示とを並行して実行可能である（いわゆる同時変動機能を有する）遊技機に本発明を適用した構成としてもよい。
【０１５５】
また、上述した実施例では、上述した実施例では、最後のラウンド遊技において第２大入賞口３５が開放状態となることとしたが、最後以外のラウンド遊技において第２大入賞口３５が開放状態となることとしてもよい。
【０１５６】
また、上述した実施例では、第２大入賞口３５には右打ちした遊技球が入球可能であることとしたが、第２大入賞口３５には左打ちした遊技球が入球可能であることとしてもよい。例えば、第２大入賞口ユニット３３を第１始動口２４の周辺に設けることとしてもよい。
【０１５７】
また、上述した実施例では、遊技ホールの島設備から供給される遊技球を払い出すことによって、遊技の結果としての利益（遊技価値）を遊技者に付与するパチンコ機１に本発明を適用した例を説明した。これに限らず、「遊技球の払い出し」とは異なる形態で遊技上の利益を付与するタイプの遊技機にも、本発明を適用することができる。例えば、各種入球口への遊技球の入球が発生することで、その入球に対応する利益の量（遊技価値の大きさ）を示すデータを記憶することによって、遊技上の利益（遊技価値）を遊技者に付与するタイプのパチンコ機にも本発明を適用することができ、この場合にも、上述した実施例と同様の効果を得ることができる。なお、遊技上の利益（遊技価値）をデータ化して遊技者に付与するタイプのパチンコ機としては、パチンコ機に内蔵された複数個の遊技球を循環させて使用する遊技機、具体的には、各種入球口あるいはアウト口を経て遊技盤の裏面に排出された遊技球を、再度、発射位置に戻して発射するように構成されたパチンコ機（いわゆる封入式遊技機）を例示できる。
【０１５８】
また、上述した実施例または変形例のパチンコ機は、次のような遊技機として捉えることもできる。すなわち、
遊技球が始動口に入球することに基づいて取得される取得情報を記憶する取得情報記憶手段と、
前記取得情報が当り情報であるか否かの当り判定を行う当り判定手段と、
前記当り判定で前記取得情報が前記当り情報であると判定されることに基づいて、可変入球口が入球可能状態となる特定遊技を行う特定遊技実行手段と、
前記取得情報について前記当り判定が行われる前に、当該取得情報が所定の情報であるか否かの事前判定を行う事前判定手段と、
前記事前判定の結果に基づいて事前演出を実行可能な事前演出実行手段と、
低確率状態と高確率状態とを遊技状態として設定可能な遊技状態設定手段と、
を備え、
前記当り判定手段は、
前記低確率状態の設定中は、前記取得情報が第１の範囲に含まれる情報である場合に当該取得情報が前記当り情報であると判定し、
前記高確率状態の設定中は、前記取得情報が前記第１の範囲よりも広い第２の範囲に含まれる情報である場合に当該取得情報が前記当り情報であると判定する遊技機であって、
前記事前判定手段は、前記事前判定として、前記取得情報が前記第１の範囲に含まれず前記第２の範囲に含まれる高確限定当り情報であるか否かの判定を実行可能であり、
前記事前演出実行手段は、前記事前演出として、前記取得情報が前記高確限定当り情報であることを示唆する演出を前記事前判定の結果に基づいて実行可能である
ことを特徴とする遊技機として捉えることもできる。
【０１５９】
このような遊技機では、高確率状態であれば当り情報となり（特定遊技が行われ）、低確率状態であれば当り情報とならない（特定遊技が行われない）取得情報（高確限定当り情報）が記憶されているという斬新な情報を遊技者に示唆することができ、遊技興趣を高めることが可能となる。
【０１６０】
また、上述した遊技機は、
前記特定遊技実行手段は、複数種類の前記特定遊技を実行可能であり、
前記事前判定手段は、前記取得情報が前記当り情報である場合は、前記事前判定として、当該取得情報について前記当り判定が行われた際に行われる前記特定遊技の種類の判定を実行可能であり、
前記事前演出実行手段は、前記事前演出として、前記特定遊技の種類を示唆する演出を前記事前判定の結果に基づいて実行可能である
こととしてもよい。
【０１６１】
このような遊技機では、遊技者が所望する種類の特定遊技が行われることが示唆された場合は、「高確限定当り情報」について当り判定が行われる際に（「高確限定当り情報」が消化される際に）高確率状態となっていることを遊技者に期待させ、遊技者が所望しない特定遊技が行われることが示唆された場合は、「高確限定当り情報」について当り判定が行われる際に（「高確限定当り情報」が消化される際に）低確率状態となっていることを遊技者に期待させるという斬新な遊技性を実現することができ、遊技興趣を高めることが可能となる。
【０１６２】
また、上述した遊技機は、
前記事前演出実行手段は、遊技状態として前記高確率状態が設定されている場合に前記事前演出を実行可能である
こととしてもよい。
【０１６３】
このような遊技機では、遊技者が特定遊技の実行を所望する場合は、「高確限定当り情報」について当り判定が行われるまで（「高確限定当り情報」が消化されるまで）高確率状態が継続されることを期待させ、遊技者が特定遊技の実行を所望しない場合は、「高確限定当り情報」について当り判定が行われる前に（「高確限定当り情報」が消化される前に）低確率状態となることを期待させるという斬新な遊技性を実現することができ、遊技興趣を高めることが可能となる。
【０１６４】
また、上述した遊技機は、
前記事前演出実行手段は、遊技状態として前記低確率状態が設定されている場合に前記事前演出を実行可能である
こととしてもよい。
【０１６５】
このような遊技機では、遊技者が特定遊技の実行を所望する場合は、「高確限定当り情報」について当り判定が行われる前に（「高確限定当り情報」が消化される前に）高確率状態が設定されることを期待させ、遊技者が特定遊技の実行を所望しない場合は、「高確限定当り情報」について当り判定が行われるまで（「高確限定当り情報」が消化されるまで）低確率状態が継続されることを期待させるという斬新な遊技性を実現することができ、遊技興趣を高めることが可能となる。
【０１６６】
また、上述した遊技機は、
前記事前演出実行手段は、前記特定遊技の実行中に前記事前演出を実行可能である
こととしてもよい。
【０１６７】
このような遊技機では、遊技者が特定遊技の実行を所望する場合は、特定遊技の終了後に高確率状態が設定されることを期待させ、遊技者が特定遊技の実行を所望しない場合は、特定遊技の終了後に低確率状態が設定されることを期待させるという斬新な遊技性を実現することができ、遊技興趣を高めることが可能となる。
【０１６８】
また、上述した遊技機は、
前記遊技状態設定手段は、遊技状態として、前記低確率状態と前記高確率状態とに加えて、非電サポ状態と前記非電サポ状態よりも前記始動口への遊技球の入球頻度が高い電サポ状態とを設定可能であり、
前記特定遊技実行手段は、前記特定遊技として、遊技状態が前記非電サポ状態に設定される非電サポ特定遊技と、遊技状態が前記電サポ状態に設定される電サポ特定遊技とを実行可能であり、
前記事前演出実行手段は、遊技状態として前記高確率状態および前記電サポ状態が設定されている場合に、前記事前演出として、前記取得情報が前記高確限定当り情報であることを示唆すると共に前記特定遊技の種類が前記非電サポ特定遊技であることを示唆する演出を前記事前判定の結果に基づいて実行可能である
こととしてもよい。
【０１６９】
このような遊技機では、『「高確限定当り情報」が記憶されており、当該「高確限定当り情報」が当り情報であると当り判定された際に非電サポ特定遊技が開始されること』を示唆する事前演出を実行可能である。そして、このような事前演出が行われたら、電サポ状態の継続を所望する遊技者に対しては、非電サポ特定遊技が行われて非電サポ状態が設定されないこと、すなわち、「高確限定当り情報」についての当り判定が行われる前に（「高確限定当り情報」が消化される前に）遊技状態が低確率状態となることを遊技者に期待させるという斬新な遊技性を実現することができ、遊技興趣を高めることが可能となる。
【０１７０】
また、上述した遊技機は、
前記特定遊技中に前記可変入球口に入球した遊技球が通過可能な特定領域を備え、
前記特定遊技実行手段は、前記特定遊技として、遊技球が前記特定領域を通過し難い第１特定遊技と、前記第１特定遊技よりも遊技球が前記特定領域を通過し易い第２特定遊技とを実行可能であり、
前記遊技状態設定手段は、
遊技状態として、前記低確率状態と前記高確率状態との他に、非電サポ状態と前記非電サポ状態よりも前記始動口への遊技球の入球頻度が高い電サポ状態とを設定可能であり、
前記第１特定遊技中に遊技球が前記特定領域を通過しなかった場合は、遊技状態として前記非電サポ状態および前記低確率状態を設定し、
前記第２特定遊技中に遊技球が前記特定領域を通過した場合は、遊技状態として前記電サポ状態および前記高確率状態を設定し、
前記第２特定遊技中に遊技球が前記特定領域を通過しなかった場合は、遊技状態として前記電サポ状態および前記低確率状態を設定するものであり、
前記事前演出実行手段は、遊技状態として高確率状態および電サポ状態が設定されている場合および前記第２特定遊技が実行中である場合の少なくとも一方の場合に、前記事前演出として、前記取得情報が前記高確限定当り情報であることを示唆すると共に前記特定遊技の種類が前記第１特定遊技であることを示唆する演出を前記事前判定の結果に基づいて実行可能である
こととしてもよい。
【０１７１】
このような遊技機では、『「高確限定当り情報」が記憶されており、当該「高確限定当り情報」が当り情報であると当り判定された際に第１特定遊技が開始されること』を示唆する事前演出を実行可能である。そして、このような事前演出が行われたら、電サポ状態の継続を所望する遊技者に対しては、第１特定遊技が行われないこと（遊技球が特定領域を通過し難いことから非電サポ状態が設定され易い第１特定遊技が行われないこと）、すなわち、「高確限定当り情報」についての当り判定が行われる前に（「高確限定当り情報」が消化される前に）遊技状態が低確率状態となることを遊技者に期待させることとなる。特に、「高確限定当り情報」についての当り判定が行われる前に（「高確限定当り情報」が消化される前に）第２特定遊技が実行される場合は、第２特定遊技の実行中に遊技球が特定領域を通過しないこと、すなわち、遊技状態として電サポ状態および低確率状態が設定されることを期待させる（狙わせる）という斬新な遊技性を実現することができ、遊技興趣を高めることが可能となる。
【産業上の利用可能性】
【０１７２】
本発明は、遊技ホールで用いられる遊技機に利用することができる。
【符号の説明】
【０１７３】
１…パチンコ機（遊技機）、２４…第１始動口、２５…第２始動口、２８…第１大入賞口（可変入球口）、３５…第２大入賞口（可変入球口）、３８…特定口（特定領域）、２００…主制御基板、２０１…ＣＰＵ（当り判定手段、特定遊技実行手段、事前判定手段、遊技状態設定手段）、２０３…ＲＯＭ（取得情報記憶手段）、２２０…サブ制御基板、２２１…ＣＰＵ（事前演出実行手段）。
【図１】
2018134516.tif 000003
【図２】
2018134516.tif 000004
【図３】
2018134516.tif 000005
【図４】
2018134516.tif 000006
【図５】
2018134516.tif 000007
【図６】
2018134516.tif 000008
【図７】
2018134516.tif 000009
【図８】
2018134516.tif 000010
【図９】
2018134516.tif 000011
【図１０】
2018134516.tif 000012
【図１１】
2018134516.tif 000013
【図１２】
2018134516.tif 000014
【図１３】
2018134516.tif 000015
【図１４】
2018134516.tif 000016
【図１５】
2018134516.tif 000017
【図１６】
2018134516.tif 000018
【図１７】
2018134516.tif 000019
【図１８】
2018134516.tif 000020
【図１９】
2018134516.tif 000021
【図２０】
2018134516.tif 000022
【図２１】
2018134516.tif 000023